(57)【特許請求の範囲】
【請求項１】
ユーザ機器（ＵＥ）（２００５）のアドミッションを判断するための、ｇＮＢ−分散ユニット（ＤＵ）論理ノード（１０１５、２０１０）およびｇＮＢ−中央ユニット（ＣＵ）論理ノード（１０２０、２０１５）を含むネットワークノード（１０１０）における方法（２０００）であって、前記方法は、
前記ｇＮＢ−ＤＵ（１０１５、２０１０）がＵＥ（２００５）から接続要求を受信すること（２０２０）と、
前記ｇＮＢ−ＤＵ（１０１５、２０１０）が前記ＵＥ（２００５）をサービングすることができないという判断に応答して、シグナリング無線ベアラ１（ＳＲＢ１）のための設定を含まない初期アップリンク無線リソース制御（ＵＬ  ＲＲＣ）メッセージを前記ｇＮＢ−ＤＵ（１０１５、２０１０）から前記ｇＮＢ−ＣＵ（１０２０、２０１５）に送信すること（２０２５）と、
前記ｇＮＢ−ＣＵ（１０２０、２０１５）における、前記ＳＲＢ１のための設定を含まない前記ＵＬ  ＲＲＣメッセージの受信に応答して、前記ｇＮＢ−ＤＵ（１０１５、２０１０）に対し、無線リソース制御（ＲＲＣ）接続拒否メッセージを用いて応答すること（２０３０）と、
前記ｇＮＢ−ＤＵ（１０１５、２０１０）から前記ＵＥ（２００５）に、前記ＵＥ（２００５）を拒否するための前記ＲＲＣ接続拒否メッセージを送信すること（２０３５）と、
を含む、方法（２０００）。
【請求項２】
前記ｇＮＢ−ＤＵ（１０１５、２０１０）は、前記ｇＮＢ−ＤＵ（１０１５、２０１０）が前記ＵＥ（２００５）をサービングすることができないという判断を行い、
前記ｇＮＢ−ＣＵ（１０２０、２０１５）は、前記ＵＬ  ＲＲＣメッセージがＳＲＢ１のための前記設定を含まないと判断する、請求項１に記載の方法（２０００）。
【請求項３】
前記ｇＮＢ−ＤＵ（１０１５、２０１０）は、前記ｇＮＢ−ＤＵ（１０１５、２０１０）が前記ＵＥ（２００５）をサービングすることができないという判断に応答して、前記ＵＥ（２００５）にリソースを割り当てない、請求項１に記載の方法（２０００）。
【請求項４】
前記ｇＮＢ−ＤＵ（１０１５、２０１０）は、Ｆ１論理インターフェースを介して前記ｇＮＢ−ＣＵ（１０２０、２０１５）と通信する、請求項１に記載の方法（２０００）。
【請求項５】
ユーザ機器（ＵＥ）（２００５）のアドミッションを判断するためのネットワークノード（１０１０）であって、前記ネットワークノードは、
メモリと、
前記メモリに通信可能に結合された処理回路部とを備え、前記メモリおよび前記処理回路部は、ｇＮＢ−分散ユニット（ＤＵ）論理ノード（１０１５、２０１０）およびｇＮＢ−中央ユニット（ＣＵ）論理ノード（１０２０、２０１５）を実装するように設定され、前記ｇＮＢ−ＤＵ（１０１５、２０１０）は、
前記ＵＥ（２００５）から接続要求を受信し、
前記ｇＮＢ−ＤＵ（１０１５、２０１０）が前記ＵＥ（２００５）をサービングすることができないという判断に応答して、シグナリング無線ベアラ１（ＳＲＢ１）のための設定を含まない初期アップリンク無線リソース制御（ＵＬ  ＲＲＣ）メッセージを前記ｇＮＢ−ＤＵ（１０１５、２０１０）から前記ｇＮＢ−ＣＵ（１０２０、２０１５）に送信するように設定され、
前記ｇＮＢ−ＣＵ（１０２０、２０１５）は、前記ｇＮＢ−ＣＵ（１０２０、２０１５）における、前記ＳＲＢ１のための設定を含まない前記ＵＬ  ＲＲＣメッセージの受信に応答して、前記ｇＮＢ−ＤＵ（１０１５、２０１０）に対し、無線リソース制御（ＲＲＣ）接続拒否メッセージを用いて応答するように設定され、
前記ｇＮＢ−ＤＵ（１０１５、２０１０）は、前記ｇＮＢ−ＤＵ（１０１５、２０１０）から前記ＵＥ（２００５）に、前記ＵＥ（２００５）を拒否するための前記ＲＲＣ接続拒否メッセージを送信するように更に設定される、ネットワークノード（１０１０）。
【請求項６】
第２のｇＮＢ−ＤＵ（１０１５、２０１０）を更に備える、請求項５に記載のネットワークノード（１０１０）。
【請求項７】
前記ｇＮＢ−ＤＵ（１０１５、２０１０）は、前記ｇＮＢ−ＤＵ（１０１５、２０１０）が前記ＵＥ（２００５）をサービングすることができないという判断に応答して、前記ＵＥ（２００５）にリソースを割り当てない、請求項５に記載のネットワークノード（１０１０）。
【請求項８】
前記ｇＮＢ−ＤＵ（１０１５、２０１０）は、Ｆ１論理インターフェースを介して前記ｇＮＢ−ＣＵ（１０２０、２０１５）と通信する、請求項５に記載のネットワークノード（１０１０）。
【請求項９】
５Ｇコアネットワークと通信するように更に設定される、請求項５に記載のネットワークノード（１０１０）。
【請求項１０】
請求項５に記載のネットワークノード（１０１０）と、ユーザ機器（ＵＥ）（２００５）とを備えるシステムであって、
前記ＵＥ（２００５）が、メモリと、前記メモリに通信可能に結合された処理回路部とを備え、前記メモリおよび前記処理回路部は、
接続要求を前記ネットワークノード（１０１０）に送信するように設定されている、
システム。
【請求項１１】
前記ｇＮＢ−ＤＵ（１０１５、２０１０）は、前記ｇＮＢ−ＤＵが前記ＵＥ（２００５）をサービングすることができないという判断に応答して、前記ＵＥ（２００５）にリソースを割り当てない、請求項１０に記載のシステム。
【請求項１２】
前記ｇＮＢ−ＤＵ（１０１５、２０１０）は、Ｆ１論理インターフェースを介して前記ｇＮＢ−ＣＵ（１０２０、２０１５）と通信する、請求項１０に記載のシステム。
【請求項１３】
前記ネットワークノード（１０１０）は、５Ｇコアネットワークと通信するように更に設定される、請求項１０に記載のシステム。
【請求項１４】
ユーザ機器（ＵＥ）（１９０５）のアドミッションを判断するための、ｇＮＢ−分散ユニット（ＤＵ）論理ノード（１０１５、１９１０）およびｇＮＢ−中央ユニット（ＣＵ）論理ノード（１０２０、１９１５）を含むネットワークノード（１０１０）における方法（１９００）であって、前記方法は、
前記ｇＮＢ−ＤＵ（１０１５、１９１０）がＵＥ（１９０５）から接続要求を受信すること（１９２０）と、
前記ｇＮＢ−ＤＵ（１０１５、１９１０）が前記ＵＥ（１９０５）をサービングすることができないという判断に応答して、前記接続要求が拒否されるべきであることを示す初期アップリンク無線リソース制御（ＵＬ  ＲＲＣ）メッセージであって、前記接続要求が拒否されるべき理由を示す原因値を含む、ＵＬ  ＲＲＣメッセージを前記ｇＮＢ−ＤＵ（１０１５、１９１０）から前記ｇＮＢ−ＣＵ（１０２０、１９１５）に送信すること（１９２５）と、
前記ｇＮＢ−ＣＵ（１０２０、１９１５）における、前記ＵＬ  ＲＲＣメッセージの受信に応答して、前記ｇＮＢ−ＤＵ（１０１５、１９１０）に対し、無線リソース制御（ＲＲＣ）接続拒否メッセージを用いて応答すること（１９３０）と、
前記ｇＮＢ−ＤＵ（１０１５、１９１０）から前記ＵＥ（１９０５）に、前記ＵＥ（１９０５）を拒否するための前記ＲＲＣ接続拒否メッセージを送信すること（１９３５）と、
を含む、方法（１９００）。
【請求項１５】
前記ｇＮＢ−ＤＵ（１０１５、１９１０）は、前記接続要求が拒否されるべきであるという判断に応答して、前記ＵＥ（１９０５）にリソースを割り当てない、請求項１４に記載の方法（１９００）。
【請求項１６】
前記原因値は、前記ＵＥ（１９０５）をサービングするためのリソースが不十分であることを示す、請求項１４に記載の方法（１９００）。
【請求項１７】
前記原因値は、前記ＵＥ（１９０５）をサービングするためのリソースがないことを示す、請求項１４に記載の方法（１９００）。
【請求項１８】
ユーザ機器（ＵＥ）（１９０５）のアドミッションを判断するためのネットワークノード（１０１０）であって、
メモリと、
前記メモリに通信可能に結合された処理回路部とを備え、前記メモリおよび前記処理回路部は、ｇＮＢ−分散ユニット（ＤＵ）論理ノード（１０１５、１９１０）およびｇＮＢ−中央ユニット（ＣＵ）論理ノード（１０２０、１９１５）を実装するように設定され、前記ｇＮＢ−ＤＵ（１０１５、１９１０）は、
前記ＵＥ（１９０５）から接続要求を受信し、
前記ｇＮＢ−ＤＵ（１０１５、１９１０）が前記ＵＥ（１９０５）をサービングすることができないという判断に応答して、前記接続要求が拒否されるべきであることを示す初期アップリンク無線リソース制御（ＵＬ  ＲＲＣ）メッセージであって、前記接続要求が拒否されるべき理由を示す原因値を含むＵＬ  ＲＲＣメッセージを前記ｇＮＢ−ＤＵ（１０１５、１９１０）から前記ｇＮＢ−ＣＵ（１０２０、１９１５）に送信するように設定され、
前記ｇＮＢ−ＣＵ（１０２０、１９１５）は、前記ｇＮＢ−ＣＵ（１０２０、１９１５）における、前記ＵＬ  ＲＲＣメッセージの受信に応答して、前記ｇＮＢ−ＤＵ（１０１５、１９１０）に対し、無線リソース制御（ＲＲＣ）接続拒否メッセージを用いて応答するように設定され、
前記ｇＮＢ−ＤＵ（１０１５、１９１０）は、前記ｇＮＢ−ＤＵ（１０１５、１９１０）から前記ＵＥ（１９０５）に、前記ＵＥ（１９０５）を拒否するための前記ＲＲＣ接続拒否メッセージを送信するように更に設定される、
ネットワークノード（１０１０）。
【請求項１９】
請求項１８に記載のネットワークノード（１０１０）と、ユーザ機器（ＵＥ）（１９０５）とを備えるシステムであって、
前記ＵＥ（１９０５）が、メモリと、前記メモリに通信可能に結合された処理回路部とを備え、前記メモリおよび前記処理回路部は、
接続要求を前記ネットワークノード（１０１０）に送信するように設定されている、
システム。
【発明の詳細な説明】
【技術分野】
【０００１】
本開示は、包括的には、無線通信に関し、より詳細には、無線ネットワークに対するアドミッションに関する。
【背景技術】
【０００２】
現行の５Ｇ無線アクセスネットワーク（ＲＡＮ）アーキテクチャは、ＴＳ３８．４０１ｖ０．４．１（このリンクｈｔｔｐ：／／ｗｗｗ．３ｇｐｐ．ｏｒｇ／ｆｔｐ／／Ｓｐｅｃｓ／ａｒｃｈｉｖｅ／３８＿ｓｅｒｉｅｓ／３８．４０１／３８４０１−０４１．ｚｉｐにおいて入手可能）および図１０に示されている。ＮＧアーキテクチャは、更に以下のように記載することができる。
・ＮＧ無線アクセスネットワーク（ＮＧ−ＲＡＮ）は、ｇＮＢと５Ｇコアネットワーク（５ＧＣ）との間のインターフェースであるＮＧを通じて５Ｇコアネットワーク（５ＧＣ）に接続された１組の基地局（例えば、ｇＮＢ）からなる。
・ｇＮＢは、周波数分割複信（ＦＤＤ）モード、時分割複信（ＴＤＤ）モードまたはデュアルモード動作をサポートすることができる。
・ｇＮＢは、ｇＮＢ間のインターフェースであるＸｎを通じて相互接続することができる。
・ｇＮＢは、ｇＮＢ中央ユニット（ｇＮＢ−ＣＵ）および１つまたは複数のｇＮＢ分散ユニット（ｇＮＢ−ＤＵ）からなることができる。ｇＮＢ−ＣＵおよびｇＮＢ−ＤＵは、Ｆ１論理インターフェースを介して接続される。
・いくつかの実施では、１つのｇＮＢ−ＤＵは、１つのｇＮＢ−ＣＵのみに接続される。回復力のために、ｇＮＢ−ＤＵは、適切な実施により複数のｇＮＢ−ＣＵに接続されてもよい。
【０００３】
ＮＧ、ＸｎおよびＦ１は論理インターフェースである。ＮＧ−ＲＡＮは、無線ネットワーク層（ＲＮＬ）およびトランスポートネットワーク層（ＴＮＬ）に層化される。ＮＧ−ＲＡＮアーキテクチャ（例えば、ＮＧ−ＲＡＮ論理ノードおよびそれらの間のインターフェース）はＲＮＬの一部である。ＮＧ−ＲＡＮインターフェース（例えば、ＮＧ、Ｘｎ、Ｆ１）ごとに、関連するＴＮＬプロトコルおよび機能が指定される。ＴＮＬは、ユーザプレーントランスポート、シグナリングトランスポートのためのサービスを提供する。ＮＧ−Ｆｌｅｘ設定では、各ｇＮＢは、プールエリア内の全ての５ＧＣノードに接続される。プールエリアについては、３ＧＰＰ  ＴＳ２３．５０１に記載されている。ＮＧ−ＲＡＮインターフェースのＴＮＬにおける制御プレーンおよびユーザプレーンデータのためのセキュリティ保護がサポートされなくてはならない場合、（例えば、３ＧＰＰ  ＴＳ３３．４０１に記載されているような）ＮＤＳ／ＩＰが適用され得る。
【０００４】
ＲＡＮ５Ｇアーキテクチャに関連して、デュアルコネクティビティをサポートすることができる。そのようなメカニズムは、マスタおよびセカンダリノードを確立することからなり、可能な限り最良のトラフィックおよび無線リソース管理に従って、マスタノード（ＭＮ）およびセカンダリノード（ＳＮ）にユーザプレーン（ＵＰ）トラフィックを分散させることからなる。制御プレーン（ＣＰ）トラフィックは、１つのノード（例えば、ＭＮ）においてのみ終端することが仮定される。図１１および図１２は、（例えば、ｈｔｔｐ：／／ｆｔｐ．３ｇｐｐ．ｏｒｇ／／Ｓｐｅｃｓ／ａｒｃｈｉｖｅ／３８＿ｓｅｒｉｅｓ／３８．３００／３８３００−０６０．ｚｉｐにおいて入手可能なＴＳ３８．３００ｖ０．６．０に記載されているような）デュアルコネクティビティに関与するプロトコルおよびインターフェースを示す。
【０００５】
図１１は、マスタｇＮＢ（ＭｇＮＢ）がパケットデータコンバージェンスプロトコル（ＰＤＣＰ）ベアラトラフィックをセカンダリｇＮＢ（ＳｇＮＢ）に転送することができることを示すのに対し、図１２は、ＳｇＮＢがＰＤＣＰベアラトラフィックをＭｇＮＢに転送することができる事例を示す。ＭｇＮＢおよびＳｇＮＢは、上記で概説した、ＣＵおよびＤＵで構成されるＲＡＮ分割アーキテクチャに従うことができる。
【０００６】
更に、５Ｇ標準化に関連して、マルチＲＡＴデュアルコネクティビティ（ＭＲ−ＤＣ）が規定されている。図１３に示すように、ＭＲ−ＤＣが適用されるとき、ＲＡＮノード（マスタノード（ＭＮ））が制御プレーンをＣＮ（例えば、制御ノードまたは子ノード）に向けてアンカリングするのに対し、別のＲＡＮノード（セカンダリノード（ＳＮ））が、ＭＮとの協調を介して制御プレーンおよびユーザプレーンリソースをＵＥに提供する。
【０００７】
図１４に示すように、ＭＲ−ＤＣの範囲内で、様々なユーザプレーン／ベアラタイプの解決策が可能である。
【０００８】
ＴＳ３８．４０１において、ｇＮＢ−ＣＵ／ｇＮＢ−ＤＵアーキテクチャにおけるシグナリグフロー（例えば、ＵＥ、ＤＵ間モビリティ等からの初期アクセス）を含む全体手順が示されている。
【０００９】
現時点において、いくつかの課題が存在する。分割ＲＡＮ（ｇＮＢ−ＣＵ／ｇＮＢ−ＤＵ）アーキテクチャにおいて、初期ユーザ機器（ＵＥ）アクセス手順では、ｇＮＢ−ＤＵにおけるリソース不足が発生する可能性がある。この事例では、初期ＵＥアクセス手順は、ｇＮＢ−ＤＵからの拒否に起因して失敗する場合がある。ｇＮＢ−ＤＵは、Ｍｓｇ３の受信時（例えば、ｇＮＢ−ＤＵが、下位層シグナリング（測定レポート、ＳＩＢ１シグナリング）のためにＵＥにリソースの第１の組を割り当てるか否かを判定するとき）にＵＥのアドミッション制御を行う。ｇＮＢ−ＤＵにおける初期アドミッション結果がｇＮＢ−ＣＵにおいて時間内にわからない場合、不要なシグナリングが生じ、ｇＮＢ−ＣＵは、ＲＲＣ接続拒否（ＲＲＣＣｏｎｎｅｃｔｉｏｎＲｅｊｅｃｔ）がトリガされる必要があるか否かを知ることができない。この失敗事例に対処する方式は定義されていない。
【発明の概要】
【００１０】
本開示のいくつかの態様およびそれらの実施形態は、これらの課題または他の課題に対する解決策を提供することができる。この開示において、ｇＮＢ−ＤＵがｇＮＢ−ＣＵに、ｇＮＢ−ＤＵにおけるＵＥアドミッションの結果を通知することを可能にするメカニズムが概説される。これにより、ｇＮＢ−ＣＵは次のステップについて判定することが可能になり、結果として、ＵＥ要求が拒否される事例を時間内に知り、これに対処する手段が提供されるため、性能が改善する。提案される情報交換は、ｇＮＢ−ＤＵにおけるＵＥアドミッションの結果に基づいて様々な事例に応じることができる。これらは以下の実施形態によって表される。
−  実施形態１：ｇＮＢ−ＤＵは、リソースをＵＥに割り当てない（例えば、ＵＥは、シグナリング無線ベアラ１（ＳＲＢ１）を介してＭｓｇ３をシグナリングすることを許されるが、ｇＮＢ−ＤＵにおける更なるリソースを承認されていない）。この情報は、ＲＲＣ接続拒否がｇＮＢ−ＣＵから送信されることを暗に意味する。
−  実施形態２：ｇＮＢ−ＤＵは、ＵＥを承認する（例えば、下位層シグナリングのためのリソースを割り当てる）ことができるが、ｇＮＢ−ＤＵは、高負荷の状況下にある。したがって、ｇＮＢ−ＣＵは、ＲＲＣ接続アクセス原因から、ＵＥを承認する（例えば、ＵＥが緊急呼のために接続している場合）か、またはＵＥを拒否するかを判定することができる。
−  実施形態３：ｇＮＢ−ＤＵは、ｇＮＢ−ＣＵに特定のイベントがシグナリングされることなくＵＥを承認する。この事例では、ｇＮＢ−ＤＵは、単に、ＵＥが承認されたことをｇＮＢ−ＣＵに宣言することができる。
−  実施形態４：ｇＮＢ−ＤＵはリソースをＵＥに割り当てない。ｇＮＢ−ＤＵは、ＳＲＢ１のための設定を含まない初期ＵＬ  ＲＲＣメッセージを送信することによって、ＵＥが承認されていないことをｇＮＢ−ＣＵに暗黙的に通知する。初期ＵＬ  ＲＲＣメッセージの受信に応答して、ｇＮＢ−ＣＵは、ＲＲＣ接続拒否メッセージをｇＮＢ−ＤＵおよびＵＥに送信する。
−  実施形態５：ｇＮＢ−ＤＵは、ＵＥにリソースを割り当てない。ｇＮＢ−ＤＵは、ｇＮＢ−ＣＵに、アドミッション結果の原因を示すアドミッション結果を含む初期ＵＬ  ＲＲＣメッセージを送信する。これに応答して、ｇＮＢ−ＣＵは、ｇＮＢ−ＤＵおよびＵＥにＲＲＣ接続拒否メッセージを送信する。
【００１１】
本開示は、ｇＮＢ−ＤＵがｇＮＢ−ＣＵに、Ｍｓｇ３の受信時にｇＮＢ−ＤＵにおけるＵＥアドミッションの結果を通知することを可能にする方法、および、ｇＮＢ−ＣＵがＵＥアドミッションの結果に基づいて、ＵＥ初期アクセスにおける次のステップについて判定することを可能にする方法を検討する。
【００１２】
実施形態によれば、ユーザ機器（ＵＥ）のアドミッションを判断するための、ｇＮＢ−分散ユニット（ＤＵ）論理ノードおよびｇＮＢ−中央ユニット（ＣＵ）論理ノードを含むネットワークノードにおける方法が、ｇＮＢ−ＤＵがＵＥから接続要求を受信するステップと、ｇＮＢ−ＤＵがＵＥをサービングすることができないという判断に応答して、シグナリング無線ベアラ１（ＳＲＢ１）のための設定を含まない初期アップリンク無線リソース制御（ＵＬ  ＲＲＣ）メッセージをｇＮＢ−ＤＵからｇＮＢ−ＣＵに送信するステップと、ｇＮＢ−ＣＵにおける、ＳＲＢ１のための設定を含まないＵＬ  ＲＲＣメッセージの受信に応答して、ｇＮＢ−ＤＵに対し、無線リソース制御（ＲＲＣ）接続拒否メッセージを用いて応答するステップと、ｇＮＢ−ＤＵからＵＥに、ＵＥを拒否するためのＲＲＣ接続拒否メッセージを送信するステップとを含む。
【００１３】
別の実施形態によれば、ユーザ機器（ＵＥ）のアドミッションを判断するためのネットワークノードが、メモリと、メモリに通信可能に結合された処理回路部とを備える。メモリおよび処理回路部は、ｇＮＢ−分散ユニット（ＤＵ）論理ノードおよびｇＮＢ−中央ユニット（ＣＵ）論理ノードを実装するように設定される。ｇＮＢ−ＤＵは、ＵＥから接続要求を受信し、ｇＮＢ−ＤＵがＵＥをサービングすることができないという判断に応答して、シグナリング無線ベアラ１（ＳＲＢ１）のための設定を含まない初期アップリンク無線リソース制御（ＵＬ  ＲＲＣ）メッセージをｇＮＢ−ＤＵからｇＮＢ−ＣＵに送信する。ｇＮＢ−ＣＵは、ｇＮＢ−ＣＵにおける、ＳＲＢ１のための設定を含まないＵＬ  ＲＲＣメッセージの受信に応答して、ｇＮＢ−ＤＵに対し、無線リソース制御（ＲＲＣ）接続拒否メッセージを用いて応答する。ｇＮＢ−ＤＵは、ｇＮＢ−ＤＵからＵＥに、ＵＥを拒否するためのＲＲＣ接続拒否メッセージを送信する。
【００１４】
更に別の実施形態によれば、ユーザ機器（ＵＥ）が、メモリと、メモリに通信可能に結合された処理回路部とを備える。メモリおよび処理回路部は、接続要求をネットワークノードに送信する。ネットワークノードは、ｇＮＢ−分散ユニット（ＤＵ）論理ノードおよびｇＮＢ−中央ユニット（ＣＵ）論理ノードを実装するメモリおよび処理回路部を備える。ｇＮＢ−ＤＵがＵＥをサービングすることができないという判断に応答して、ｇＮＢ−ＤＵは、シグナリング無線ベアラ１（ＳＲＢ１）のための設定を含まない初期アップリンク無線リソース制御（ＵＬ  ＲＲＣ）メッセージをｇＮＢ−ＣＵに送信する。ｇＮＢ−ＣＵにおける、ＳＲＢ１のための設定を含まないＵＬ  ＲＲＣメッセージの受信に応答して、ｇＮＢ−ＣＵは、ｇＮＢ−ＤＵに対し、無線リソース制御（ＲＲＣ）接続拒否メッセージを用いて応答する。ｇＮＢ−ＤＵは、ｇＮＢ−ＤＵからＵＥにＲＲＣ接続拒否メッセージを送信する。
【００１５】
実施形態によれば、ユーザ機器（ＵＥ）のアドミッションを判断するための、ｇＮＢ−分散ユニット（ＤＵ）論理ノードおよびｇＮＢ−中央ユニット（ＣＵ）論理ノードを含むネットワークノードにおける方法が、ｇＮＢ−ＤＵがＵＥから接続要求を受信するステップと、ｇＮＢ−ＤＵがＵＥをサービングすることができないという判断に応答して、接続要求が拒否されるべきであることを示す初期アップリンク無線リソース制御（ＵＬ  ＲＲＣ）メッセージであって、接続要求が拒否されるべき理由を示す原因値を含む、ＵＬ  ＲＲＣメッセージをｇＮＢ−ＤＵからｇＮＢ−ＣＵに送信するステップと、ｇＮＢ−ＣＵにおいて、ＵＬ  ＲＲＣメッセージの受信に応答して、ｇＮＢ−ＤＵに対し、無線リソース制御（ＲＲＣ）接続拒否メッセージを用いて応答するステップと、ｇＮＢ−ＤＵからＵＥに、ＵＥを拒否するためのＲＲＣ接続拒否メッセージを送信するステップとを含む。
【００１６】
本明細書に開示される問題のうちの１つまたは複数に対処する様々な実施形態が本明細書に提案される。１つの実施形態において、ユーザ機器を承認するための方法がプロセッサによって実行される。本方法は、基地局の分散ユニットにおいてユーザ機器から接続要求を受信することと、分散ユニットがユーザ機器を承認することができるか否かを判断することと、分散ユニットから基地局の中央ユニットに、ユーザ機器がユーザ機器を承認することができるか否かを示すメッセージを通信することとを含む。メッセージは、（１）分散ユニットが、ユーザ機器にリソースを割り当てることができるか否か、および（２）ＵＥが高負荷を受けているか否か、のうちの１つまたは複数を示すことができる。また、分散ユニットは、中央ユニットから、ユーザ機器を承認するかまたは拒否するかを示す応答を受信することができる。
【００１７】
いくつかの実施形態は、以下の技術的利点のうちの１つまたは複数を提供することができる。例えば、実施形態は、ｇＮＢ−ＤＵが、ｇＮＢ−ＤＵにおけるＵＥアドミッションの結果をｇＮＢ−ＣＵに通知することを可能にする。このようにして、初期ＵＥアクセス手順における失敗に対処するための効率化された方式が提供される。当業者には他の利点が容易に明らかとなり得る。いくつかの実施形態は、列挙した利点を全く含まない場合もあり、いくつかまたは全てを含む場合もある。
【００１８】
開示される実施形態およびそれらの特徴および利点の更に完全な理解のために、ここで、添付の図面と併せて、以下の説明が参照される。
【図面の簡単な説明】
【００１９】
【図１】いくつかの実施形態による、例示的な無線ネットワークの図である。
【図２】いくつかの実施形態による、例示的なユーザ機器の図である。
【図３】いくつかの実施形態による、例示的な仮想化環境の図である。
【図４】いくつかの実施形態による、中間ネットワークを介してホストコンピュータに接続される例示的な電気通信ネットワークの図である。
【図５】いくつかの実施形態による、部分的無線接続を通じてユーザ機器と基地局を介して通信する例示的なホストコンピュータの図である。
【図６】いくつかの実施形態による、ホストコンピュータと、基地局と、ユーザ機器とを含む通信システムにおいて実施される例示的な方法を示すフローチャートである。
【図７】いくつかの実施形態による、ホストコンピュータと、基地局と、ユーザ機器とを含む通信システムにおいて実施される例示的な方法を示すフローチャートである。
【図８】いくつかの実施形態による、ホストコンピュータと、基地局と、ユーザ機器とを含む通信システムにおいて実施される例示的な方法を示すフローチャートである。
【図９】いくつかの実施形態による、ホストコンピュータと、基地局と、ユーザ機器とを含む通信システムにおいて実施される例示的な方法を示すフローチャートである。
【図１０】いくつかの実施形態による、例示的なネットワークアーキテクチャの図である。
【図１１】いくつかの実施形態による、例示的なネットワークノードの図である。
【図１２】いくつかの実施形態による、例示的なネットワークノードの図である。
【図１３】いくつかの実施形態による、例示的なネットワークノードの図である。
【図１４】いくつかの実施形態による、例示的なネットワークノードの図である。
【図１５】いくつかの実施形態による、通信システムにおいて実施される例示的な方法を示すフローチャートである。
【図１６】いくつかの実施形態による、通信システムにおいて実施される例示的な方法を示すフローチャートである。
【図１７】いくつかの実施形態による、通信システムにおいて実施される例示的な方法を示すフローチャートである。
【図１８】いくつかの実施形態による、通信システムにおいて実施される例示的な方法を示すフローチャートである。
【図１９】いくつかの実施形態による、通信システムにおいて実施される例示的な方法を示すフローチャートである。
【図２０】いくつかの実施形態による、通信システムにおいて実施される例示的な方法を示すフローチャートである。
【図２１】いくつかの実施形態による、例示的な方法を示すフローチャートである。
【図２２】いくつかの実施形態による、例示的な仮想化装置の図である。
【発明を実施するための形態】
【００２０】
ここで、本明細書において検討される実施形態のうちのいくつかを、添付の図面を参照してより詳細に説明する。しかしながら、他の実施形態も本明細書に開示される主題の範囲内に含まれ、開示される主題は、本明細書に示される実施形態のみに限定されるとみなされるべきではなく、むしろ、これらの実施形態は、当業者に主題の範囲を伝えるために例として提供される。
【００２１】
既存の電気通信ネットワークにおいて、ユーザ機器（ＵＥ）は、アドミッションを求める要求をネットワークに送信することによって、ネットワークに対するアドミッションを得る。ネットワークノード（例えば、ｅＮｏｄｅＢ）は、ＵＥがアドミッションを許可されるべきであるか否か（例えば、ＵＥを扱うのに十分なネットワークリソースがあるか否か）を判断し、次に、アドミッションが許可されるかまたは拒否されるかを示すメッセージをＵＥに送信する。
【００２２】
５Ｇネットワークにおいて、ネットワークノード（例えば、ｇＮＢ）は、異なる機能（例えば、分割ＲＡＮアーキテクチャ）を実行する異なる論理ノードを有することができる。１つの論理ノード（例えば、ｇＮＢ−分散ユニット（ＤＵ））は、ＵＥがアクセスを許可されるべきか否かを判断することができる。別の論理ノード（例えば、ｇＮＢ−中央ユニット（ＣＵ））は、アドミッションが許可されたか否かを示すメッセージをＵＥに送信することができる。いくつかの例では、ｇＮＢ−ＤＵがｇＮＢ−ＣＵに、アドミッションが拒絶されたことを知らせるための合意された方式が存在しない。結果として、ｇＮＢ−ＣＵは、アドミッションが拒否されたことを示すメッセージをＵＥに送信しない場合がある。
【００２３】
本開示は、ｇＮＢ−ＤＵが、ＵＥがネットワークへのアドミッションを許可されなかったことをｇＮＢ−ＣＵに知らせることを可能にするプロセスを検討している。１つの実施形態では、ｇＮＢ−ＤＵは、シグナリング無線ベアラ（ＳＲＢ１）の設定を含まない初期アップリンク無線リソース制御（ＵＬ  ＲＲＣ）メッセージを送信する。このメッセージの受信に応答して、ｇＮＢ−ＣＵは、無線リソース制御（ＲＲＣ）接続拒否メッセージをｇＮＢ−ＤＵに送信する。次に、ｇＮＢ−ＤＵはＲＲＣ接続拒否メッセージをＵＥに送信する。
【００２４】
代替的な実施形態では、ｇＮＢ−ＤＵは、接続要求が拒否されるべきであることを示し、接続要求が拒否されるべき理由を示す原因値を含むＵＬ  ＲＲＣメッセージをｇＮＢ−ＣＵに送信する。このメッセージの受信に応答して、ｇＮＢ−ＣＵは、無線リソース制御（ＲＲＣ）接続拒否メッセージをｇＮＢ−ＤＵに送信する。次に、ｇＮＢ−ＤＵは、ＲＲＣ接続拒否メッセージをＵＥに送信する。これらの実施形態および他の実施形態は、図１〜図２２を用いてより詳細に説明される。
【００２５】
図１は、いくつかの実施形態による、例示的な無線ネットワークの図である。本明細書に記載の主題は、任意の適切なコンポーネントを用いて任意の適切なタイプのシステムにおいて実施することができるが、本明細書において開示される実施形態は、図１に示す例示的な無線ネットワーク等の無線ネットワークとの関連で説明される。簡単にするために、図１の無線ネットワークは、ネットワーク１０６、ネットワークノード１６０および１６０ｂ、ならびにＷＤ  １１０、１１０ｂ、および１１０ｃのみを示す。実際には、無線ネットワークは、固定電話、サービスプロバイダ、または任意の他のネットワークノードもしくはエンドデバイス等の、無線デバイス間または無線デバイスと別の通信デバイスとの間の通信をサポートするのに適した任意の追加の要素を更に含むことができる。示されるコンポーネントのうち、ネットワークノード１６０および無線デバイス（ＷＤ）１１０は、更なる詳細を有して示される。無線ネットワークは、１つまたは複数の無線デバイスに通信および他のタイプのサービスを提供し、無線デバイスによる、無線ネットワークによってまたは無線ネットワークを介して提供されるサービスへのアクセスおよび／またはその使用を容易にすることができる。
【００２６】
無線ネットワークは、任意のタイプの通信、電気通信、データ、セルラおよび／もしくは無線ネットワーク、もしくは他の類似のタイプのシステムを含み、かつ／またはこれらとインターフェースすることができる。いくつかの実施形態では、無線ネットワークは、特定の規格または他のタイプの所定の規則もしくは手順に従って動作するように設定することができる。このため、無線ネットワークの特定の実施形態は、モバイル通信のためのグローバルシステム（ＧＳＭ）、ユニバーサルモバイルテレコミュニケーションシステム（ＵＭＴＳ）、ロングタームエボリューション（ＬＴＥ）および／もしくは他の適切な２Ｇ、３Ｇ、４Ｇもしくは５Ｇ規格、ＩＥＥＥ８０２．１１規格等の無線ローカルエリアネットワーク（ＷＬＡＮ）規格、ならびに／または、マイクロ波アクセスのための世界的相互運用性（ＷｉＭＡＸ）、Ｂｌｕｅｔｏｏｔｈ、Ｚ−Ｗａｖｅおよび／またはＺｉｇＢｅｅ規格等の任意の他の適切な無線通信規格等の通信規格を実装することができる。
【００２７】
ネットワーク１０６は、１つまたは複数のバックホールネットワーク、コアネットワーク、ＩＰネットワーク、公衆交換電話ネットワーク（ＰＳＴＮ）、パケットデータネットワーク、光ネットワーク、広域ネットワーク（ＷＡＮ）、ローカルエリアネットワーク（ＬＡＮ）、無線ローカルエリアネットワーク（ＷＬＡＮ）、有線ネットワーク、無線ネットワーク、メトロポリタンエリアネットワーク、およびデバイス間の通信を可能にする他のネットワークを含むことができる。
【００２８】
ネットワークノード１６０およびＷＤ１１０は、以下でより詳細に説明される様々なコンポーネントを含む。これらのコンポーネントは、無線ネットワークにおける無線接続の提供等、ネットワークノードおよび／または無線デバイスの機能を提供するために協働する。異なる実施形態において、無線ネットワークは、任意の数の有線または無線ネットワーク、ネットワークノード、基地局、コントローラ、無線デバイス、中継局、ならびに／または、有線接続を介したものであっても、もしくは無線接続を介したものであっても、データおよび／もしくは信号の通信を容易にし、もしくはその通信に参加することができる任意の他のコンポーネントもしくはシステムを含むことができる。
【００２９】
本明細書において用いられるとき、ネットワークノードとは、無線デバイスおよび／または無線ネットワークにおける他のネットワークノードもしくは機器と直接または間接的に通信して、無線デバイスへの無線アクセスを可能にしかつ／もしくは提供し、かつ／または無線ネットワークにおける他の機能（例えば管理）を行うことが可能であり、そのように設定され、調整され、かつ／または動作可能な機器ケーブルを指す。ネットワークノードの例は、限定ではないが、アクセスポイント（ＡＰ）（例えば、無線アクセスポイント）、基地局（ＢＳ）（例えば、無線基地局、ノードＢ、エボルブドノードＢ（ｅＮＢ）、およびＮＲノードＢ（ｇＮＢ）を含む。）基地局は、提供するカバレッジの量（または言い換えれば送信電力レベル）に基づいてカテゴライズすることができ、その場合、フェムト基地局、ピコ基地局、マイクロ基地局またはマクロ基地局と呼ばれる場合もある。基地局は、中継ノード、または中継を制御する中継ドナーノードとすることができる。ネットワークノードは、場合によってはリモート無線ヘッド（ＲＲＨ）と呼ばれる集中型デジタルユニットおよび／またはリモート無線ユニット（ＲＲＵ）等の分散無線基地局の１つまたは複数の（または全ての）部分も含むことができる。そのようなリモート無線ユニットは、アンテナ一体型無線としてアンテナと一体化されている場合も、一体化されていない場合もある。分散無線基地局の一部分は、分散アンテナシステム（ＤＡＳＨ）においてノードと呼ばれる場合もある。ネットワークノードのまた更なる例は、マルチスタンダード無線（ＭＳＲ）ＢＳ等のＭＳＲ機器、無線ネットワークコントローラ（ＲＮＣ）または基地局コントローラ（ＢＳＣ）等のネットワークコントローラ、送受信機基地局（ＢＴＳ）、送信ポイント、送信ノード、マルチセル／マルチキャスト協調エンティティ（ＭＣＥ）、コアネットワークノード（例えば、ＭＳＣ、ＭＭＥ）、Ｏ＆Ｍノード、ＯＳＳノード、ＳＯＮノード、測位ノード（例えば、Ｅ−ＳＭＬＣ）、および／またはＭＤＴを含む。別の例として、ネットワークノードは、以下でより詳細に説明するような仮想ネットワークノードとすることができる。しかしながら、より一般的には、ネットワークノードは、無線デバイスに無線ネットワークへのアクセスを可能にし、かつ／もしくは提供するか、または無線ネットワークにアクセスした無線デバイスに何らかのサービスを提供することが可能であり、そのように設定され、調整され、かつ／または動作可能な任意の適切なデバイス（またはデバイスのグループ）を表すことができる。
【００３０】
図１において、ネットワークノード１６０は、処理回路１７０と、デバイス可読媒体１８０と、インターフェース１９０と、補助機器１８４と、電源１８６と、電力回路１８７と、アンテナ１６２とを含む。図１の例示的な無線ネットワークにおいて示されるネットワークノード１６０は、ハードウェアコンポーネントの示される組み合わせを含むデバイスを表す場合があるが、他の実施形態は、コンポーネントの異なる組み合わせを有するネットワークノードを含んでもよい。ネットワークノードが、本明細書に開示されるタスク、特徴、機能および方法を実行するのに必要なハードウェアおよび／またはソフトウェアの任意の適切な組み合わせを含むことが理解されよう。更に、ネットワークノード１６０のコンポーネントは、大きなボックス内に位置するか、または複数のボックス内に入れ子になった単一のボックスとして示されているが、実際には、ネットワークノードは、単一の示されるコンポーネントを構成する複数の異なる物理的コンポーネントを含んでもよい（例えば、デバイス可読媒体１８０は、複数の別個のハードドライブおよび複数のＲＡＭモジュールを含んでもよい）。
【００３１】
同様に、ネットワークノード１６０は、複数の物理的に別個のコンポーネント（例えば、ＮｏｄｅＢコンポーネントおよびＲＮＣコンポーネント、またはＢＴＳコンポーネントおよびＢＳＣコンポーネント等）から構成することができ、これらのコンポーネントは各々、独自のそれぞれのコンポーネントを有することができる。ネットワークノード１６０が複数の別個のコンポーネント（例えば、ＢＴＳおよびＢＳＣコンポーネント）を含む特定のシナリオにおいて、別個のコンポーネントのうちの１つまたは複数をいくつかのネットワークノード間で共有することができる。例えば、単一のＲＮＣが、複数のＮｏｄｅＢを制御することができる。そのようなシナリオでは、各固有のＮｏｄｅＢおよびＲＮＣのペアが、いくつかの例では、単一の別個のネットワークノードとみなされる場合がある。いくつかの実施形態では、ネットワークノード１６０は、複数の無線アクセス技術（ＲＡＴ）をサポートするように設定することができる。そのような実施形態において、いくつかのコンポーネントを複製することができ（例えば、異なるＲＡＴに別個のデバイス可読媒体１８０）、いくつかのコンポーネントを再利用することができる（例えば、同じアンテナ１６２を複数のＲＡＴによって共有することができる）。ネットワークノード１６０は、例えば、ＧＳＭ、ＷＣＤＭＡ、ＬＴＥ、ＮＲ、ＷｉＦｉ、またはＢｌｕｅｔｏｏｔｈ無線技術等の、ネットワークノード１６０に一体化される異なる無線技術のための様々な示されるコンポーネントの複数のセットも含むことができる。これらの無線技術は、同じまたは異なるチップまたはチップセット、およびネットワークノード１６０内の他のコンポーネントに一体化され得る。
【００３２】
処理回路１７０は、ネットワークノードによって提供されるものとして本明細書に説明された任意の決定、計算または類似の動作（例えば、特定の取得動作）を行うように設定される。処理回路１７０によって実行されるこれらの動作は、例えば、取得された情報を他の情報に変換し、取得された情報もしくは変換された情報をネットワークノードに記憶された情報と比較し、かつ／または取得された情報もしくは変換された情報に基づいて１つまたは複数の動作を実行し、前記処理の結果として決定を行うことによって、処理回路１７０によって取得される処理情報を含むことができる。
【００３３】
処理回路１７０は、マイクロプロセッサ、コントローラ、マイクロコントローラ、中央処理ユニット、デジタル信号プロセッサ、特定用途向け集積回路、フィールドプログラマブルゲートアレイ、または任意の他の適切なコンピューティングデバイス、リソース、または、単独でもしくはデバイス可読媒体１８０等の他のネットワークノード１６０コンポーネントと併せてネットワークノード１６０機能を提供するように動作可能なハードウェア、ソフトウェア、および／もしくは符号化されたロジックの組み合わせのうちの１つまたは複数の組み合わせを含むことができる。例えば、処理回路１７０は、デバイス可読媒体１８０にまたは処理回路１７０内のメモリに記憶された命令を実行することができる。そのような機能は、本明細書に論考される様々な無線特徴、機能または利点のうちの任意のものを提供することを含むことができる。いくつかの実施形態では、処理回路１７０は、システムオンチップ（ＳＯＣ）を含むことができる。
【００３４】
いくつかの実施形態では、処理回路１７０は、無線周波数（ＲＦ）送受信機回路１７２およびベースバンド処理回路１７４のうちの１つまたは複数を含むことができる。いくつかの実施形態では、無線周波数（ＲＦ）送受信機回路１７２およびベースバンド処理回路１７４は、別個のチップ（またはチップセット）、基板、または無線ユニットおよびデジタルユニット等のユニット上に存在することができる。代替的な実施形態では、ＲＦ送受信機回路１７２およびベースバンド処理回路１７４の一部または全てが同じチップもしくはチップセット、ボード、またはユニット上に存在することができる。
【００３５】
特定の実施形態では、ネットワークノード、基地局、ｅＮＢまたは他のそのようなネットワークデバイスによって提供されるものとして本明細書に記載される機能のうちのいくつかまたは全ては、デバイス可読媒体１８０、または処理回路１７０内のメモリに記憶された命令を実行する処理回路１７０によって実行することができる。代替的な実施形態では、有線接続方式等で別個のまたは離散したデバイス可読媒体に記憶された命令を実行することなく、機能のうちのいくつかまたは全てが処理回路１７０によって提供されてもよい。これらの実施形態のうちの任意のものにおいて、デバイス可読ストレージ媒体上に記憶された命令を実行するか否かにかかわらず、処理回路１７０は、説明された機能を実行するように設定することができる。そのような機能によって提供される利点は、処理回路１７０単独に、またはネットワークノード１６０の他のコンポーネントに限定されるものではなく、ネットワークノード１６０によって全体として享受され、ならびに／またはエンドユーザおよび無線ネットワークによって全般に享受される。
【００３６】
デバイス可読媒体１８０は、限定ではないが、永続ストレージ、ソリッドステートメモリ、遠隔設置メモリ、磁気媒体、光媒体、ランダムアクセスメモリ（ＲＡＭ）、リードオンリーメモリ（ＲＯＭ）、マスストレージ媒体（例えば、ハードディスク）、リムーバブルストレージ媒体（例えば、フラッシュドライブ、コンパクトディスク（ＣＤ）またはデジタルビデオディスク（ＤＶＤ））、ならびに／または、処理回路１７０によって用いることができる情報、データおよび／もしくは命令を記憶する任意の他の揮発性もしくは不揮発性の非一時的デバイス可読および／もしくはコンピュータ実行可能メモリデバイスを含む、任意の形態の揮発性または不揮発性のコンピュータ可読メモリを含むことができる。デバイス可読媒体１８０は、ロジック、ルール、コード、テーブル等のうちの１つまたは複数を含むコンピュータプログラム、ソフトウェア、アプリケーションを含む任意の適切な命令、データもしくは情報、および／または処理回路１７０によって実行し、ネットワークノード１６０によって利用することが可能な他の命令を記憶することができる。デバイス可読媒体１８０を用いて、処理回路１７０によって行われる任意の計算および／またはインターフェース１９０を介して受信される任意のデータを記憶することができる。いくつかの実施形態では、処理回路１７０およびデバイス可読媒体１８０は、一体化されているとみなすことができる。
【００３７】
インターフェース１９０は、ネットワークノード１６０、ネットワーク１０６、および／またはＷＤ１１０間のシグナリングおよび／またはデータの有線または無線通信において用いられる。示されるように、インターフェース１９０は、例えば有線接続を通じてネットワーク１０６へおよびネットワーク１０６からデータを送受信するポート／端子１９４を含む。インターフェース１９０は、アンテナ１６２に、または特定の実施形態ではアンテナ１６２の一部に結合することができる無線フロントエンド回路１９２も含む。無線フロントエンド回路１９２は、フィルタ１９８および増幅器１９６を含む。無線フロントエンド回路１９２は、フィルタ１９８および増幅器１９６を含む。無線フロントエンド回路１９２は、アンテナ１６２および処理回路１７０に接続することができる。無線フロントエンド回路は、アンテナ１６２と処理回路１７０との間で通信される信号を調整するように設定することができる。無線フロントエンド回路１９２はデジタルデータを受信することができ、このデジタルデータは、他のネットワークノードまたはＷＤに無線接続を介して送出されることになる。無線フロントエンド回路１９２は、フィルタ１９８および／または増幅器１９６の組み合わせを用いて、デジタルデータを、適切なチャネルおよび帯域幅パラメータを有する無線信号に変換することができる。次に、無線信号は、アンテナ１６２を介して送信することができる。同様に、データを受信するとき、アンテナ１６２は無線信号を収集することができ、次に、これらの無線信号は、無線フロントエンド回路１９２によってデジタルデータに変換される。デジタルデータは処理回路１７０に渡すことができる。他の実施形態では、インターフェースは、異なる複数のコンポーネントおよび／またはコンポーネントの異なる組み合わせを含むことができる。
【００３８】
特定の代替的な実施形態では、ネットワークノード１６０は、別個の無線フロントエンド回路１９２を含まない場合があり、代わりに、処理回路１７０は無線フロントエンド回路を含んでもよく、別個の無線フロントエンド回路１９２を有することなくアンテナ１６２に接続されてもよい。同様に、いくつかの実施形態では、ＲＦ送受信機回路１７２のうちの全てまたはいくつかは、インターフェース１９０の一部とみなすことができる。更に他の実施形態では、インターフェース１９０は、無線ユニット（図示せず）の一部として、１つまたは複数のポートまたは端子１９４、無線フロントエンド回路１９２、およびＲＦ送受信機回路１７２を含むことができ、インターフェース１９０は、デジタルユニット（図示せず）の一部であるベースバンド処理回路１７４と通信することができる。
【００３９】
アンテナ１６２は、無線信号を送信および／または受信するように設定された、１つまたは複数のアンテナまたはアンテナアレイを含むことができる。アンテナ１６２は無線フロントエンド回路１９２に結合することができ、データおよび／または信号を無線で送信および受信することが可能な任意のタイプのアンテナとすることができる。いくつかの実施形態では、アンテナ１６２は、例えば、２ＧＨｚ〜６６ＧＨｚの無線信号を送信／受信するように動作可能な１つまたは複数の無指向性アンテナ、セクタアンテナまたはパネルアンテナを含むことができる。無指向性アンテナは、任意の方向において無線信号を送信／受信するのに用いることができ、セクタアンテナは、特定のエリア内のデバイスから無線信号を送信／受信するのに用いることができ、パネルアンテナは、比較的直線状の線において無線信号を送信／受信するのに用いられる見通し線アンテナとすることができる。いくつかの事例では、２つ以上のアンテナの使用は、ＭＩＭＯと呼ぶことができる。特定の実施形態では、アンテナ１６２は、ネットワークノード１６０と別個とすることができ、インターフェースまたはポートを通じてネットワークノード１６０に接続可能とすることができる。
【００４０】
アンテナ１６２、インターフェース１９０および／または処理回路１７０は、ネットワークノードによって実行されるものとして本明細書に記載される任意の受信動作および／または特定の取得動作を行うように設定することができる。任意の情報、データおよび／または信号は、無線デバイス、別のネットワークノードおよび／または任意の他のネットワーク機器から受信することができる。同様に、アンテナ１６２、インターフェース１９０および／または処理回路１７０は、ネットワークノードによって実行されるものとして本明細書に記載される任意の送信動作を行うように設定することができる。任意の情報、データおよび／または信号は、無線デバイス、別のネットワークノードおよび／または任意の他のネットワーク機器に送信することができる。
【００４１】
電力回路１８７は、電力管理回路を含むかまたはこれに結合することができ、ネットワークノード１６０のコンポーネントに、本明細書に記載の機能を実行するための電力を供給するように設定される。電力回路１８７は、電源１８６から電力を受信することができる。電源１８６および／または電力回路１８７は、それぞれのコンポーネントに適した形態で（例えば、各それぞれのコンポーネントに必要な電圧および電流レベルで）ネットワークノード１６０の様々なコンポーネントに電力を提供するように設定することができる。電源１８６は、電力回路１８７および／またはネットワークノード１６０に含まれてもよく、またはこれらの外部にあってもよい。例えば、ネットワークノード１６０は、入力回路、または電気ケーブル等のインターフェースを介して外部電源（例えば、電気アウトレット）に接続可能とすることができ、これによって外部電源は電力回路１８７に電源を供給する。更なる例として、電源１８６は、電力回路１８７に接続されるかまたは一体化されたバッテリまたはバッテリパックの形態の電源を含むことができる。バッテリは、外部電源が故障した場合のバックアップ電力を提供することができる。光起電デバイス等の他のタイプの電源も使用することができる。
【００４２】
ネットワークノード１６０の代替的な実施形態は、本明細書に記載の機能のうちの任意のものおよび／または本明細書に記載の主題をサポートするのに必要な任意の機能を含む、ネットワークノードの機能の特定の態様を提供する役割を果たすことができる、図１に示すもの以外の追加のコンポーネントを含んでもよい。例えば、ネットワークノード１６０は、ネットワークノード１６０への情報の入力を可能にし、ネットワークノード１６０からの情報の出力を可能にするユーザインターフェース機器を含むことができる。これは、ユーザが、ネットワークノード１６０のための診断、維持、修理および他の管理機能を実行することを可能にすることができる。
【００４３】
本明細書において用いられるとき、無線デバイス（ＷＤ）は、ネットワークノードおよび／または他の無線デバイスと無線で通信することが可能であり、そのように設定され、調整され、かつ／または動作可能なデバイスを指す。別段の記載がない限り、ＷＤという用語は、本明細書において、ユーザ機器（ＵＥ）と交換可能に用いることができる。無線で通信することは、電磁波、電波、赤外線波、および／または空中で情報を伝達するのに適した他のタイプの信号を用いて無線信号を送信および／または受信することを含むことができる。いくつかの実施形態では、ＷＤは、直接的な人間の対話を行うことなく情報を送信および／または受信するように設定することができる。例えば、ＷＤは、内部もしくは外部イベントによってトリガされたとき、またはネットワークからの要求に応じて、所定のスケジュールで情報をネットワークに送信するように設計することができる。ＷＤの例は、限定ではないが、スマートフォン、モバイルフォン、携帯電話、ボイスオーバーＩＰ（ＶｏＩＰ）電話、無線ローカルループフォン、デスクトップコンピュータ、携帯情報端末（ＰＤＡ）、無線カメラ、ゲームコンソールまたはデバイス、音楽ストレージデバイス、再生機器、ウェアラブル端末デバイス、無線エンドポイント、移動局、タブレット、ラップトップ、ラップトップ埋込み型機器（ＬＥＥ）、ラップトップ搭載型機器（ＬＭＥ）、スマートデバイス、無線顧客構内機器（ＣＰＥ）、車両搭載型無線端末デバイス等を含む。ＷＤは、例えば、サイドリンク通信、車両間（Ｖ２Ｖ）、車両対インフラストラクチャ（Ｖ２Ｉ）、車両対あらゆるもの（ｖｅｈｉｃｌｅ−ｔｏ−ｅｖｅｒｙｔｈｉｎｇ）（Ｖ２Ｘ）のための３ＧＰＰ規格を実装することによって、デバイスツーデバイス（Ｄ２Ｄ）通信をサポートすることができ、この場合、Ｄ２Ｄ通信デバイスと呼ぶことができる。更に別の特定の例として、モノのインターネット（ＩｏＴ）のシナリオにおいて、ＷＤは、監視および／または測定を行い、そのような監視および／または測定の結果を別のＷＤおよび／またはネットワークノードに送信するマシンまたは他のデバイスを表すことができる。ＷＤは、この場合、マシンツーマシン（Ｍ２Ｍ）デバイスである場合があり、３ＧＰＰとの関連において、ＭＴＣデバイスと呼ばれる場合もある。１つの特定の例として、ＷＤは、３ＧＰＰ狭帯域のモノのインターネット（ＮＭ−ＩｏＴ）規格を実装するＵＥとすることができる。そのようなマシンまたはデバイスの特定の例は、センサ、電力メータ等の計量デバイス、産業機械、または家庭用もしくは個人用電気機器（例えば、冷蔵庫、テレビ等）、個人用ウェアラブル（例えば、腕時計、フィットネストラッカ等）である。他のシナリオでは、ＷＤは、その動作ステータス、またはその動作に関連付けられた他の機能に関して監視および／または報告することが可能な車両または他の機器を表すことができる。上記で説明したＷＤは、無線接続のエンドポイントを表すことができ、この場合、デバイスは無線端末と呼ぶことができる。更に、上記で説明したようなＷＤはモバイルとすることができ、この場合、モバイルデバイスまたはモバイル端末と呼ばれる場合もある。
【００４４】
示すように、無線デバイス１１０は、アンテナ１１１と、インターフェース１１４と、処理回路１２０と、デバイス可読媒体１３０と、ユーザインターフェース機器１３２と、補助機器１３４と、電源１３６と、電力回路１３７とを含むことができる。ＷＤ１１０は、いくつか例を挙げると、例えば、ＧＳＭ、ＷＣＤＭＡ、ＬＴＥ、ＮＲ、ＷｉＦｉ、ＷｉＭＡＸまたはＢｌｕｅｔｏｏｔｈ無線技術等の、ＷＤ１１０によってサポートされる様々な無線技術について、示されるコンポーネントのうちの１つまたは複数の、複数のセットを含むことができる。これらの無線技術は、ＷＤ１１０内のコンポーネントと同じまたは異なるチップまたはチップセットに一体化することができる。
【００４５】
アンテナ１１１は、無線信号を送信および／または受信するように設定され、インターフェース１１４に接続された、１つまたは複数のアンテナまたはアンテナアレイを含むことができる。特定の代替的な実施形態において、アンテナ１１１は、ＷＤ１１０と別個にすることができ、インターフェースまたはポートを通じてＷＤ１１０に接続可能とすることができる。アンテナ１１１、インターフェース１１４および／または処理回路１２０は、本明細書においてＷＤによって実行されるものとして説明される任意の受信または送信動作を行うように設定することができる。任意の情報、データおよび／または信号を、ネットワークノードおよび／または別のＷＤから受信することができる。いくつかの実施形態では、無線フロントエンド回路および／またはアンテナ１１１はインターフェースとみなすことができる。
【００４６】
示されるように、インターフェース１１４は、無線フロントエンド回路１１２およびアンテナ１１１を含む。無線フロントエンド回路１１２は、１つまたは複数のフィルタ１１８および増幅器１１６を含む。無線フロントエンド回路１１２は、アンテナ１１１および処理回路１２０に接続され、アンテナ１１１と処理回路１２０との間で通信される信号を調整するように設定される。無線フロントエンド回路１１２は、アンテナ１１１に結合されてもよく、またはアンテナ１１１の一部であってもよい。いくつかの実施形態では、ＷＤ１１０は、別個の無線フロントエンド回路１１２を含まない場合があり、むしろ、処理回路１２０が無線フロントエンド回路を含む場合があり、アンテナ１１１に接続される場合がある。同様に、いくつかの実施形態では、ＲＦ送受信機回路１２２のうちのいくつかまたは全てをインターフェース１１４の一部とみなすことができる。無線フロントエンド回路１１２は、デジタルデータを受信することができ、このデジタルデータは、無線接続を介して他のネットワークノードまたはＷＤに送出されることになる。無線フロントエンド回路１１２は、フィルタ１１８および／または増幅器１１６の組み合わせを用いて、デジタルデータを、適切なチャネルおよび帯域幅パラメータを有する無線信号に変換することができる。次に、無線信号は、アンテナ１１１を介して送信することができる。同様に、データを受信するとき、アンテナ１１１は無線信号を収集することができ、次に、これらの無線信号は、無線フロントエンド回路１１２によってデジタルデータに変換される。デジタルデータは処理回路１２０に渡すことができる。他の実施形態では、インターフェースは、異なるコンポーネントおよび／またはコンポーネントの異なる組み合わせを含むことができる。
【００４７】
処理回路１２０は、マイクロプロセッサ、コントローラ、マイクロコントローラ、中央処理ユニット、デジタル信号プロセッサ、特定用途向け集積回路、フィールドプログラマブルゲートアレイ、もしくは任意の他の適切なコンピューティングデバイス、リソースのうちの１つまたは複数の組み合わせ、または、単独でもしくはデバイス可読媒体１３０等の他のＷＤ１１０コンポーネントと併せてＷＤ１１０機能を提供するように動作可能な、ハードウェア、ソフトウェアおよび／もしくは符号化ロジックの組み合わせを含むことができる。そのような機能は、本明細書に論考される様々な無線特徴または利点のうちの任意のものを提供することを含むことができる。例えば、処理回路１２０は、本明細書に開示される機能を提供するためにデバイス可読媒体１３０にまたは処理回路１２０内のメモリに記憶された命令を実行することができる。
【００４８】
示されるように、処理回路１２０は、ＲＦ送受信機回路１２２、ベースバンド処理回路１２４およびアプリケーション処理回路１２６のうちの１つまたは複数を含むことができる。他の実施形態では、処理回路は、異なる複数のコンポーネントおよび／またはコンポーネントの異なる組み合わせを含むことができる。特定の実施形態では、ＷＤ１１０の処理回路１２０は、ＳＯＣを含むことができる。いくつかの実施形態では、ＲＦ送受信機回路１２２、ベースバンド処理回路１２４およびアプリケーション処理回路１２６は、別個のチップまたはチップセット上にあってもよい。代替的な実施形態では、ベースバンド処理回路１２４およびアプリケーション処理回路１２６の一部または全てを組み合わせて１つのチップまたはチップセットにしてもよく、ＲＦ送受信機回路１２２は、別個のチップまたはチップセット上にあってもよい。更に代替的な実施形態では、ＲＦ送受信機回路１２２およびベースバンド処理回路１２４の一部または全てが同じチップまたはチップセット上にあってもよく、アプリケーション処理回路１２６は、別個のチップまたはチップセット上にあってもよい。更に他の代替的な実施形態では、ＲＦ送受信機回路１２２、ベースバンド処理回路１２４およびアプリケーション処理回路１２６の一部または全てが、同じチップまたはチップセットにおいて組み合わされていてもよい。いくつかの実施形態では、ＲＦ送受信機回路１２２は、インターフェース１１４の一部分とすることができる。ＲＦ送受信機回路１２２は、処理回路１２０のためのＲＦ信号を調整することができる。
【００４９】
特定の実施形態において、ＷＤによって実行されるものとして本明細書において記載されている機能のうちのいくつかまたは全ては、デバイス可読媒体１３０上に記憶された命令を実行する処理回路１２０によって提供することができ、このデバイス可読媒体１３０は、特定の実施形態では、コンピュータ可読ストレージ媒体とすることができる。代替的な実施形態では、有線方式等で別個のまたは離散したデバイス可読ストレージ媒体上に記憶された命令を実行することなく、機能のうちのいくつかまたは全てが処理回路１２０によって提供されてもよい。これらの特定の実施形態のうちの任意のものにおいて、デバイス可読ストレージ媒体上に記憶された命令を実行するか否かにかかわらず、処理回路１２０は、説明された機能を実行するように設定することができる。そのような機能によって提供される利点は、処理回路１２０単独に、またはＷＤ１１０の他のコンポーネントに限定されるものではなく、ＷＤ１１０によって全体として享受され、ならびに／またはエンドユーザおよび無線ネットワークによって全般に享受される。
【００５０】
処理回路１２０は、本明細書においてＷＤによって実行されるものとして記載された任意の決定、計算または類似の動作（例えば、特定の取得動作）を行うように設定することができる。処理回路１２０によって実行されるときのこれらの動作は、例えば、取得された情報を他の情報に変換し、取得された情報または変換された情報をＷＤ１１０によって記憶された情報と比較し、かつ／または取得された情報もしくは変換された情報に基づいて１つまたは複数の動作を実行し、前記処理の結果として決定を行うことによって、処理回路１２０によって取得される処理情報を含むことができる。
【００５１】
デバイス可読媒体１３０は、ロジック、ルール、コード、テーブル等のうちの１つまたは複数を含むコンピュータプログラム、ソフトウェア、アプリケーション、および／または処理回路１２０によって実行することが可能な他の命令を記憶するように動作可能とことができる。デバイス可読媒体１３０は、コンピュータメモリ（例えば、ランダムアクセスメモリ（ＲＡＭ）またはリードオンリーメモリ（ＲＯＭ））、マスストレージ媒体（例えば、ハードディスク）、リムーバブルストレージ媒体（例えば、コンパクトディスク（ＣＤ）またはデジタルビデオディスク（ＤＶＤ））、ならびに／または、処理回路１２０によって用いることができる情報、データおよび／もしくは命令を記憶する任意の他の揮発性もしくは不揮発性の非一時的デバイス可読および／もしくはコンピュータ実行可能メモリデバイスを含むことができる。いくつかの実施形態では、処理回路１２０およびデバイス可読媒体１３０は、一体化されているとみなすことができる。
【００５２】
ユーザインターフェース機器１３２は、人間のユーザがＷＤ１１０とインタラクトすることを可能にするコンポーネントを提供することができる。そのようなインタラクションは、視覚、聴覚、触覚等の多くの形態をとることができる。ユーザインターフェース機器１３２は、ユーザへの出力を生成し、ユーザがＷＤ１１０に入力を提供することを可能にするように動作可能であり得る。インタラクションのタイプは、ＷＤ１１０に設置されたユーザインターフェース機器１３２のタイプに依拠して変動する場合がある。例えば、ＷＤ１１０がスマートフォンである場合、インタラクションはタッチスクリーンを介したものであり得、ＷＤ１１０がスマートメータである場合、インタラクションは、使用量（例えば使用ガロン数）を提供するスクリーン、または可聴アラート（例えば煙が検出される場合）を提供するスピーカを通じたものであり得る。ユーザインターフェース機器１３２は、入力インターフェース、デバイスおよび回路と、出力インターフェース、デバイスおよび回路とを含むことができる。ユーザインターフェース機器１３２は、ＷＤ１１０への情報の入力を可能にするように設定され、処理回路１２０が入力情報を処理することを可能にするために処理回路１２０に接続される。ユーザインターフェース機器１３２は、例えば、マイクロフォン、近接性または他のセンサ、キー／ボタン、タッチディスプレイ、１つまたは複数のカメラ、ＵＳＢポートまたは他の入力回路を含むことができる。ユーザインターフェース機器１３２は、ＷＤ１１０からの情報の出力を可能にし、処理回路１２０がＷＤ１１０からの情報を出力することを可能にするようにも設定される。ユーザインターフェース機器１３２は、例えば、スピーカ、ディスプレイ、振動回路、ＵＳＢポート、ヘッドフォンインターフェースまたは他の出力回路を含むことができる。ユーザインターフェース機器１３２の１つまたは複数の入力および出力インターフェース、デバイスおよび回路を用いて、ＷＤ１１０は、エンドユーザおよび／または無線ネットワークと通信し、これらが本明細書に記載の機能から利益を受けることを可能にすることができる。
【００５３】
補助機器１３４は、通常、ＷＤによって実行されない場合がある、より特殊な機能を提供するように動作可能である。これは、様々な目的で測定を行うための専用センサ、有線通信等の更なるタイプの通信のためのインターフェース等を含むことができる。補助機器１３４のコンポーネントを含めることおよびこのコンポーネントのタイプは、実施形態および／またはシナリオに依拠して変動し得る。
【００５４】
電源１３６は、いくつかの実施形態では、バッテリまたはバッテリパックの形態をとる場合がある。外部電源（例えば、電気アウトレット）、光起電デバイス、または電池等の他のタイプの電源も用いることができる。ＷＤ１１０は、本明細書に記載されるかまたは示される任意の機能を実行するために電源１３６からの電力を必要とするＷＤ１１０の様々な部分に、電源１３６から電力を送達するための電力回路１３７も更に備えることができる。特定の実施形態では、電力回路１３７は、電力管理回路を含むことができる。電力回路１３７は、更にまたは代替的に、外部電源から電力を受け取るように動作可能とすることができ、その場合、ＷＤ１１０は、入力回路、または電力ケーブル等のインターフェースを介して外部電源（電気アウトレット等）に接続可能とすることができる。電力回路１３７は、特定の実施形態では、外部電源から電源１３６に電力を送達するように動作可能でもあり得る。これは、例えば、電源１３６の充電のためであり得る。電力回路１３７は、電源１３６からの電力に対し任意のフォーマット設定、変換または他の変更を行い、電力が供給されるＷＤ１１０のそれぞれのコンポーネントに適した電力を生成することができる。
【００５５】
図２は、いくつかの実施形態による、例示的なユーザ機器の図である。図２は、本明細書に記載の様々な態様によるＵＥの１つの実施形態を示す。本明細書において用いられるとき、ユーザ機器またはＵＥは、必ずしも、関連デバイスを所有および／または操作する人間のユーザの意味でのユーザを有しない場合がある。代わりに、ＵＥは、人間のユーザへの販売または人間のユーザによる動作が意図されているが、特定の人間のユーザに関連付けられていない場合があるか、または最初は関連付けられていないデバイス（例えば、スマートスプリンクラーコントローラ）を表す場合がある。代替的に、ＵＥは、エンドユーザへの販売またはエンドユーザによる動作が意図されていないが、ユーザの利益に関連し得るかまたはそのために動作し得るデバイス（例えば、スマートパワーメータ）を表す場合がある。ＵＥ２２００は、ＮＢ−ＩｏＴ  ＵＥ、マシンタイプ通信（ＭＴＣ）ＵＥ、および／または拡張型ＭＴＣ（ｅＭＴＣ）ＵＥを含む、第３世代パートナーシッププロジェクト（３ＧＰＰ）によって識別される任意のＵＥとすることができる。ＵＥ２００は、図２に示されているように、第３世代パートナーシッププロジェクト（３ＧＰＰ）のＧＳＭ、ＵＭＴＳ、ＬＴＥおよび／または５Ｇ規格等の、３ＧＰＰによって公布された１つまたは複数の通信規格に従う通信のために設定されたＷＤの１つの例である。上述したように、ＷＤおよびＵＥという用語は、交換可能に用いることができる。したがって、図２はＵＥであるが、本明細書において論考されるコンポーネントはＷＤに等しく適用可能であり、逆もまた同様である。
【００５６】
図２において、ＵＥ２００は、入出力インターフェース２０５、無線周波数（ＲＦ）インターフェース２０９、ネットワーク接続インターフェース２１１、ランダムアクセスメモリ（ＲＡＭ）２１７、リードオンリーメモリ（ＲＯＭ）２１９およびストレージ媒体２２１等を含むメモリ２１５、通信サブシステム２３１、電源２１３および／もしくは任意の他のコンポーネント、またはこれらの任意の組み合わせに作動的に連結される処理回路２０１を含む。ストレージ媒体２２１は、オペレーティングシステム２２３、アプリケーションプログラム２２５およびデータ２２７を含む。他の実施形態において、ストレージ媒体２２１は、他の類似のタイプの情報を含むことができる。特定のＵＥは、図２に示すコンポーネントの全て、またはコンポーネントのサブセットのみを利用することができる。コンポーネント間の統合レベルは、ＵＥ間で変動する場合がある。更に、特定のＵＥは、複数のプロセッサ、メモリ、送受信機、送信機、受信機等のコンポーネントの複数のインスタンスを含むことができる。
【００５７】
図２において、処理回路２０１は、コンピュータ命令およびデータを処理するように設定することができる。処理回路２０１は、（例えば、ディスクリートロジック、ＦＰＧＡ、ＡＳＩＣ等における）１つまたは複数のハードウェア実施状態マシン等の、メモリ内のマシン可読コンピュータプログラムとして記憶されたマシン命令を実行するように動作可能な任意の連続状態マシン；適切なファームウェアと共にプログラマブルロジック；適切なソフトウェアと共に、マイクロプロセッサまたはデジタル信号プロセッサ（ＤＳＰ）等の１つまたは複数のプログラム内蔵方式汎用プロセッサ；または上記の任意の組み合わせを実施するように設定することができる。例えば、処理回路２０１は、２つの中央処理ユニット（ＣＰＵ）を含むことができる。データは、コンピュータによる使用に適した形態の情報とすることができる。
【００５８】
示される実施形態において、入出力インターフェース２０５は、入力デバイス、出力デバイス、または入力および出力デバイスへの通信インターフェースを提供するように設定することができる。ＵＥ２００は、入出力インターフェース２０５を介して出力デバイスを用いるように設定することができる。出力デバイスは、入力デバイスと同じタイプのインターフェースポートを用いることができる。例えば、ＵＳＢポートを用いて、ＵＥ２００への入力およびＵＥ２００への出力を提供することができる。出力デバイスは、スピーカ、サウンドカード、ビデオカード、ディスプレイ、モニタ、プリンタ、アクチュエータ、エミッタ、スマートカード、別の出力デバイス、またはこれらの任意の組み合わせとすることができる。ＵＥ２００は、入力デバイスを用いて、入出力インターフェース２０５を介してユーザがＵＥ２００内に情報を捕捉することを可能にするように設定することができる。入力デバイスは、タッチセンシティブまたはプレゼンスセンシティブディスプレイ、カメラ（例えば、デジタルカメラ、デジタルビデオカメラ、ウェブカメラ等）、マイクロフォン、センサ、マウス、トラックボール、方向パッド、トラックパッド、スクロールホイール、スマートカード等を含むことができる。プレゼンスセンシティブディスプレイは、ユーザからの入力を検知する容量性または抵抗性タッチセンサを含むことができる。センサは、例えば、加速度計、ジャイロスコープ、傾きセンサ、力センサ、磁力計、光センサ、近接センサ、別の類似のセンサ、またはこれらの任意の組み合わせを含むことができる。例えば、入力デバイスは、加速度計、磁力計、デジタルカメラ、マイクロフォンおよび光センサを含むことができる。
【００５９】
図２において、ＲＦインターフェース２０９は、送信機、受信機およびアンテナ等のＲＦコンポーネントへの通信インターフェースを提供するように設定することができる。ネットワーク接続インターフェース２１１は、ネットワーク２４３ａへの通信インターフェースを提供するように設定することができる。ネットワーク２４３ａは、ローカルエリアネットワーク（ＬＡＮ）、広域ネットワーク（ＷＡＮ）、コンピュータネットワーク、無線ネットワーク、電気通信ネットワーク、別の類似のネットワークまたはこれらの任意の組み合わせ等の有線および／または無線ネットワークを包含することができる。例えば、ネットワーク２４３ａはＷｉ−Ｆｉネットワークを含むことができる。ネットワーク接続インターフェース２１１は、Ｅｔｈｅｒｎｅｔ、ＴＣＰ／ＩＰ、ＳＯＮＥＴ、ＡＴＭ等の１つまたは複数の通信プロトコルに従って通信ネットワークを介して１つまたは複数の他のデバイスと通信するのに用いられる受信機および送信機インターフェースを含むように設定することができる。ネットワーク接続インターフェース２１１は、通信ネットワークリンク（例えば、光、電気等）に適切な受信機および送信機機能を実装することができる。送信機および受信機機能は、回路コンポーネント、ソフトウェアもしくはファームウェアを共有することができるか、または代替的に別個に実装されてもよい。
【００６０】
ＲＡＭ２１７は、バス２０２を介して処理回路２０１とインターフェースし、オペレーティングシステム、アプリケーションプログラムおよびデバイスドライバ等のソフトウェアプログラムの実行中にデータまたはコンピュータ命令のストレージまたはキャッシュを提供するように設定することができる。ＲＯＭ２１９は、コンピュータ命令またはデータを処理回路２０１に提供するように設定することができる。例えば、ＲＯＭ２１９は、基本入力および出力（Ｉ／Ｏ）、スタートアップ、または不揮発性メモリに記憶されたキーボードからのキーストロークの受信等の基本システム機能のための不変低レベルシステムコードまたはデータを記憶するように設定することができる。ストレージ媒体２２１は、ＲＡＭ、ＲＯＭ、プログラマブルリードオンリーメモリ（ＰＲＯＭ）、消去可能プログラマブルリードオンリーメモリ（ＥＰＲＯＭ）、電気的消去可能プログラマブルリードオンリーメモリ（ＥＥＰＲＯＭ）、磁気ディスク、光ディスク、フロッピーディスク、ハードディスク、リムーバブルカートリッジまたはフラッシュドライブ等のメモリを含むように設定することができる。１つの例では、ストレージ媒体２２１は、オペレーティングシステム２２３、ウェブブラウザアプリケーション等のアプリケーションプログラム２２５、ウィジェットもしくはガジェットエンジンまたは別のアプリケーション、およびデータファイル２２７を含むように設定することができる。ストレージ媒体２２１は、ＵＥ２００による使用のために、多岐にわたる様々なオペレーティングシステム、またはオペレーティングシステムの組み合わせのうちの任意のものを記憶することができる。
【００６１】
ストレージ媒体２２１は、独立ディスクの冗長アレイ（ＲＡＩＤ）、フロッピーディスク、フラッシュメモリ、ＵＳＢフラッシュドライブ、外部ハードディスクドライブ、サムドライブ、ペンドライブ、キードライブ、高密度デジタル多用途ディスク（ＨＤ−ＤＶＤ）光ディスクドライブ、内部ハードディスクドライブ、ブルーレイ光ディスクドライブ、ホログラフィックデジタルデータストレージ（ＨＤＤＳ）光ディスクドライブ、外部ミニデュアルインラインメモリモジュール（ＤＩＭＭ）、同期ダイナミックランダムアクセスメモリ（ＳＤＲＡＭ）、外部マイクロＤＩＭＭ  ＳＤＲＡＭ、加入者アイデンティティモジュールまたはリムーバブルユーザアイデンティティ（ＳＩＭ／ＲＵ）モジュール等のスマートカードメモリ、他のメモリ、またはこれらの任意の組み合わせ等の複数の物理ドライブユニットを含むように設定することができる。ストレージ媒体２２１は、データをオフロードまたはアップロードするために、ＵＥ２００が、一時的メモリ媒体または非一時的メモリ媒体に記憶された、コンピュータ実行可能命令、アプリケーションプログラム等にアクセスすることを許可することができる。通信システムを利用するもの等の製造品を、ストレージ媒体２２１に有形に埋め込むことができる。ストレージ媒体は、デバイス可読媒体を含むことができる。
【００６２】
図２において、処理回路２０１は、通信サブシステム２３１を用いてネットワーク２４３ｂと通信するように設定することができる。ネットワーク２４３ａおよびネットワーク２４３ｂは、１つまたは複数の同じネットワークまたは異なるネットワークとすることができる。通信サブシステム２３１は、ネットワーク２４３ｂと通信するのに用いられる１つまたは複数の送受信機を含むように設定することができる。例えば、通信サブシステム２３１は、ＩＥＥＥ８０２．２、ＣＤＭＡ、ＷＣＤＭＡ、ＧＳＭ、ＬＴＥ、ＵＴＲＡＮ、ＷｉＭａｘ等のような１つまたは複数の通信プロトコルに従って、無線アクセスネットワーク（ＲＡＮ）の別のＷＤ、ＵＥまたは基地局等の、無線通信が可能な別のデバイスの１つまたは複数のリモート送受信機と通信するのに用いられる１つまたは複数の送受信機を含むように設定することができる。各送受信機は、それぞれ、ＲＡＮリンクに適した送信機機能または受信機機能（例えば周波数配分等）を実装するための送信機２３３および／または受信機２３５を含むことができる。更に、各送受信機の送信機２３３および受信機２３５は、回路コンポーネント、ソフトウェアもしくはファームウェアを共有してもよく、または代替的に、別個に実装されてもよい。
【００６３】
示される実施形態では、通信サブシステム２３１の通信機能は、データ通信、ボイス通信、マルチメディア通信、Ｂｌｕｅｔｏｏｔｈ等の短距離通信、近距離通信、位置を特定するためのグローバルポジショニングシステム（ＧＰＳ）の使用等の位置ベースの通信、別の同様の通信機能、またはこれらの任意の組み合わせを含むことができる。例えば、通信サブシステム２３１は、セルラ通信、Ｗｉ−Ｆｉ通信、Ｂｌｕｅｔｏｏｔｈ通信およびＧＰＳ通信を含むことができる。ネットワーク２４３ｂは、ローカルエリアネットワーク（ＬＡＮ）、広域ネットワーク（ＷＡＮ）、コンピュータネットワーク、無線ネットワーク、電気通信ネットワーク、別の同様のネットワーク、またはこれらの任意の組み合わせ等の有線および／または無線ネットワークを包含することができる。例えば、ネットワーク２４３ｂは、セルラネットワーク、Ｗｉ−Ｆｉネットワークおよび／または近距離場ネットワークとすることができる。電源２１３は、ＵＥ２００のコンポーネントに交流（ＡＣ）または直流（ＤＣ）電力を提供するように設定することができる。
【００６４】
本明細書に記載の特徴、利点および／または機能は、ＵＥ２００のコンポーネントのうちの１つにおいて実装されてもよく、またはＵＥ２００の複数のコンポーネントにわたって分割されてもよい。更に、本明細書に記載の特徴、利点および／または機能は、ハードウェア、ソフトウェアまたはファームウェアの任意の組み合わせで実装することができる。１つの例では、通信サブシステム２３１は、本明細書に記載のコンポーネントのうちの任意のものを含むように設定することができる。更に、処理回路２０１は、バス２０２を通じて、そのようなコンポーネントのうちの任意のものと通信するように設定することができる。別の例では、そのようなコンポーネントのうちの任意のものは、処理回路２０１によって実行されると、本明細書に記載の対応する機能を実行するメモリに記憶されたプログラム命令によって表すことができる。別の例では、そのようなコンポーネントのうちの任意のものの機能は、処理回路２０１と通信サブシステム２３１との間で分割することができる。別の例では、そのようなコンポーネントのうちの任意のものの計算集約的でない機能をソフトウェアまたはファームウェアで実装し、計算集約的機能をハードウェアで実装することができる。
【００６５】
図３は、いくつかの実施形態による、例示的な仮想化環境の図である。図３は、いくつかの実施形態によって実装される機能を仮想化することができる仮想化環境３００を示す概略ブロック図である。この関連において、仮想化とは、ハードウェアプラットフォーム、ストレージデバイスおよびネットワーキングリソースを仮想化することを含むことができる装置またはデバイスの仮想バージョンの作成を意味する。本明細書において用いられるとき、仮想化は、ノード（例えば、仮想化された基地局または仮想化された無線アクセスノード）、またはデバイス（例えば、ＵＥ、無線デバイスまたは任意の他のタイプの通信デバイス）もしくはそのコンポーネントに適用することができ、機能のうちの少なくとも一部分が１つまたは複数の仮想コンポーネントとして（例えば、１つもしくは複数のネットワークにおいて１つもしくは複数の物理的処理ノード上で実行される、１つまたは複数のアプリケーション、コンポーネント、機能、仮想マシンまたはコンテナを介して）実装される実施態様に関する。
【００６６】
いくつかの実施形態では、本明細書に記載の機能のうちのいくつかまたは全ては、ハードウェアノード３３０のうちの１つまたは複数によってホストされる１つまたは複数の仮想環境３００において実装される１つまたは複数の仮想マシンによって実行される仮想コンポーネントとして実装することができる。更に、仮想ノードが無線アクセスノードでないか、または無線接続性（例えばコアネットワークノード）を必要としない実施形態では、このとき、ネットワークノードは完全に仮想化することができる。
【００６７】
機能は、本明細書に開示される実施形態のうちのいくつかの特徴、機能および／または利点のうちのいくつかを実装するように動作可能な１つまたは複数のアプリケーション３２０（代替的に、ソフトウェアインスタンス、仮想機器、ネットワーク機能、仮想ノード、仮想ネットワーク機能等と呼ばれ得る）によって実装することができる。アプリケーション３２０は、処理回路３６０およびメモリ３９０を含むハードウェア３３０を提供する仮想化環境３００において実行される。メモリ３９０は、処理回路３６０によって実行可能な命令３９５を含み、これによって、アプリケーション３２０は、本明細書に開示される特徴、利点および／または機能のうちの１つまたは複数を提供するように動作可能である。
【００６８】
仮想化環境３００は、民生（ＣＯＴＳ）プロセッサ、専用の特定用途向け集積回路（ＡＳＩＣ）、またはデジタルもしくはアナログハードウェアコンポーネントもしくは専用プロセッサを含む任意の他のタイプの処理回路とすることができる、１つまたは複数のプロセッサまたは処理回路３６０のセットを含む汎用または専用ネットワークハードウェアデバイス３３０を含む。各ハードウェアデバイスは、処理回路３６０によって実行される命令３９５またはソフトウェアを一時的に記憶するための非持続性メモリとすることができるメモリ３９０−１を含むことができる。各ハードウェアデバイスは、物理的ネットワークインターフェース３８０を含む、ネットワークインターフェースカードとしても知られる１つまたは複数のネットワークインターフェースコントローラ（ＮＩＣ）３７０を含むことができる。各ハードウェアデバイスは、処理回路３６０によって実行可能なソフトウェア３９５および／または命令が記憶された非一時的持続性マシン可読ストレージ媒体３９０−２も含むことができる。ソフトウェア３９５は、１つまたは複数の仮想化層３５０（ハイパーバイザとも呼ばれる）をインスタンス化するためのソフトウェア、仮想マシン３４０を実行するためのソフトウェア、および本明細書に記載のいくつかの実施形態に関係して説明した機能、特徴および／または利点を実行することを可能にするソフトウェアを含む、任意のタイプのソフトウェアを含むことができる。
【００６９】
仮想マシン３４０は、仮想処理、仮想メモリ、仮想ネットワーキングまたはインターフェース、および仮想ストレージを含み、対応する仮想化層３５０またはハイパーバイザによって実行することができる。仮想機器３２０のインスタンスの異なる実施形態は、仮想マシン３４０のうちの１つまたは複数において実装することができ、実装は、様々な方式で行うことができる。
【００７０】
動作中、処理回路３６０は、ハイパーバイザまたは仮想化層３５０をインスタンス化するためのソフトウェア３９５を実行し、これは場合によっては、仮想マシンモニタ（ＶＭＭ）と呼ばれる場合がある。仮想化層３５０は、仮想マシン３４０に対しネットワーキングハードウェアのように見える仮想オペレーティングプラットフォームを提示することができる。
【００７１】
図３に示すように、ハードウェア３３０は、汎用または専用コンポーネントを有するスタンドアロンネットワークノードとすることができる。ハードウェア３３０は、アンテナ３２２５を含むことができ、仮想化を介していくつかの機能を実装することができる。代替的に、ハードウェア３３０は、（例えば、データセンタまたは顧客構内機器（ＣＰＥ）におけるような）ハードウェアのより大きなクラスタの一部とすることができ、ここで、多くのハードウェアノードは協働し、管理およびオーケストレーション（ＭＡＮＯ）３１００を介して管理される。ＭＡＮＯは、中でも、アプリケーション３２０のライフサイクル管理を監督する。
【００７２】
ハードウェアの仮想化は、いくつかの状況では、ネットワーク機能仮想化（ＮＦＶ）と呼ばれる。ＮＦＶを用いて、多くのネットワーク機器タイプを、業界標準の高容量サーバハードウェア、物理的スイッチおよび物理的ストレージに統合することができる。これは、データセンタおよび顧客構内機器内に配置することができる。
【００７３】
ＮＦＶとの関連において、仮想マシン３４０は、プログラムを、これらが物理的非仮想化マシン上で実行されているかのように実行する、物理的マシンのソフトウェア実装とすることができる。仮想マシン３４０の各々、およびその仮想マシンを実行するハードウェア３３０の一部は、その仮想マシンに専用のハードウェアであれ、かつ／またはこの仮想マシンによって、複数の仮想マシン３４０のうちの他のものと共有されるハードウェアであれ、別個の仮想ネットワーク要素（ＶＮＥ）を形成する。
【００７４】
更に、ＮＦＶとの関連において、仮想ネットワーク機能（ＶＮＦ）は、ハードウェアネットワーキングインフラストラクチャ３３０の上位にある１つまたは複数の仮想マシン３４０において実行される特定のネットワーク機能を扱う役割を果たし、図３におけるアプリケーション３２０に対応する。
【００７５】
いくつかの実施形態では、各々が１つまたは複数の送信機３２２０および１つまたは複数の受信機３２１０を含む１つまたは複数の無線ユニット３２００を、１つまたは複数のアンテナ３２２５に結合することができる。無線ユニット３２００は、１つまたは複数の適切なネットワークインターフェースを介してハードウェアノード３３０と直接通信することができ、これを仮想コンポーネントと組み合わせて用いて、仮想ノードに、無線アクセスノードまたは基地局等の無線機能を提供することができる。
【００７６】
いくつかの実施形態では、いくつかのシグナリングは、ハードウェアノード３３０と無線ユニット３２００との間の通信に代替的に用いられ得る制御システム３２３０の使用により行うことができる。
【００７７】
図４は、いくつかの実施形態による、中間ネットワークを介してホストコンピュータに接続される例示的な電気通信ネットワークの図である。図４を参照すると、一実施形態によれば、通信システムは、３ＧＰＰタイプのセルラネットワーク等の電気通信ネットワーク４１０を含み、これは、無線アクセスネットワーク等のアクセスネットワーク４１１と、コアネットワーク４１４とを含む。アクセスネットワーク４１１は、各々が対応するカバレッジエリア４１３ａ、４１３ｂ、４１３ｃを定義する、ＮＢ、ｅＮＢ、ｇＮＢまたは他のタイプの無線アクセスポイント等の複数の基地局４１２ａ、４１２ｂ、４１２ｃを含む。各基地局４１２ａ、４１２ｂ、４１２ｃは、有線または無線接続４１５を通じてコアネットワーク４１４に接続可能である。カバレッジエリア４１３ｃ内に位置する第１のＵＥ４９１は、対応する基地局４１２ｃに無線で接続されるか、またはこの基地局によってページングされるように設定される。カバレッジエリア４１３ａ内の第２のＵＥ４９２は、対応する基地局４１２ａに無線で接続可能である。この例には複数のＵＥ４９１、４９２が示されているが、開示される実施形態は、単一のＵＥがカバレッジエリア内にある状況、または単一のＵＥが対応する基地局４１２に接続している状況にも等しく適用可能である。
【００７８】
電気通信ネットワーク４１０自体がホストコンピュータ４３０に接続される。これは、スタンドアロンサーバのハードウェアおよび／もしくはソフトウェア、クラウド実装サーバ、分散サーバにおいて、またはサーバファーム内の処理リソースとして具現化することができる。ホストコンピュータ４３０は、サービスプロバイダの所有もしくは制御下にあってもよく、またはサービスプロバイダによってもしくはサービスプロバイダの代わりに動作してもよい。電気通信ネットワーク４１０とホストコンピュータ４３０との間の接続４２１および４２２は、コアネットワーク４１４からホストコンピュータ４３０に直接延びてもよく、またはオプションの中間ネットワーク４２０を介してもよい。中間ネットワーク４２０は、パブリックネットワーク、プライベートネットワーク、またはホストされたネットワークのうちの１つ、または２つ以上の組み合わせとすることができ、中間ネットワーク４２０は、存在する場合、バックボーンネットワークまたはインターネットとすることができ、特に、中間ネットワーク４２０は、２つ以上のサブネットワーク（図示せず）を含むことができる。
【００７９】
図４の通信システムは、全体として、接続されたＵＥ４９１、４９２とホストコンピュータ４３０との間の接続性を可能にする。接続性は、オーバーザトップ（ＯＴＴ）接続４５０として記載することができる。ホストコンピュータ４３０および接続されたＵＥ４９１、４９２は、アクセスネットワーク４１１、コアネットワーク４１４、任意の中間ネットワーク４２０、および可能な更なるインフラストラクチャ（図示せず）を仲介として用いて、ＯＴＴ接続４５０を介してデータおよび／またはシグナリングを通信するように設定される。ＯＴＴ接続４５０は、ＯＴＴ接続４５０が通過する、参加している通信デバイスが、アップリンク通信およびダウンリンク通信のルーティングに気づかないという意味で、トランスペアレントであり得る。例えば、基地局４１２は、ホストコンピュータ４３０から発信されたデータが、接続されたＵＥ４９１に転送される（例えば、ハンドオーバーされる）、到来するダウンリンク通信の過去のルーティングに関して通知されないか、または通知される必要がない場合がある。同様に、基地局４１２は、ＵＥ４９１からホストコンピュータ４３０に向けて発信される出力アップリンク通信の未来のルーティングを知る必要がない。
【００８０】
図５は、いくつかの実施形態による、部分的無線接続を通じてユーザ機器と基地局を介して通信する例示的なホストコンピュータの図である。ここで、実施形態による、前の段落で検討された、ＵＥ、基地局およびホストコンピュータの例示的な実施態様が図５を参照して説明される。通信システム５００において、ホストコンピュータ５１０は、通信システム５００の異なる通信のインターフェースとの有線接続または無線接続をセットアップし維持するように設定された通信インターフェース５１６を含むハードウェア５１５を備える。ホストコンピュータ５１０は、記憶および／または処理機能を有することができる処理回路５１８を更に含む。特に、処理回路５１８は、命令を実行するように適合された、１つまたは複数のプログラマブルプロセッサ、特定用途向け集積回路、フィールドプログラマブルゲートアレイまたはこれらの組み合わせ（図示せず）を含むことができる。ホストコンピュータ５１０は、ホストコンピュータ５１０に記憶されるかまたはホストコンピュータ５１０によってアクセス可能であり、処理回路５１８によって実行可能なソフトウェア５１１を更に含む。ソフトウェア５１１は、ホストアプリケーション５１２を含む。ホストアプリケーション５１２は、ＵＥ５３０およびホストコンピュータ５１０において終端するＯＴＴ接続５５０を介して接続するＵＥ５３０等のリモートユーザにサービスを提供するように動作可能であり得る。リモートユーザにサービスを提供する際、ホストアプリケーション５１２は、ＯＴＴ接続５５０を用いて送信されるユーザデータを提供することができる。
【００８１】
通信システム５００は、電気通信システムにおいて提供される基地局５２０を更に含み、基地局５２０は、この基地局がホストコンピュータ５１０およびＵＥ５３０と通信することを可能にするハードウェア５２５を備える。ハードウェア５２５は、通信システム５００の異なる通信デバイスのインターフェースとの有線または無線接続をセットアップし、維持するための通信インターフェース５２６と、基地局５２０によってサービングされているカバレッジエリア（図５に示さず）内に位置するＵＥ５３０との少なくとも無線接続５７０をセットアップし、維持するための無線インターフェース５２７とを含むことができる。通信インターフェース５２６は、ホストコンピュータ５１０への接続５６０を容易にするように設定することができる。接続５６０は、直接であってもよく、または、電気通信システムのコアネットワーク（図５に示さず）および／もしくは電気通信システム外の１つもしくは複数の中間ネットワークを通過してもよい。示される実施形態では、基地局５２０のハードウェア５２５は、処理回路５２８を更に含み、処理回路５２８は、命令を実行するように適合された、１つまたは複数のプログラマブルプロセッサ、特定用途向け集積回路、フィールドプログラマブルゲートアレイまたはこれらの組み合わせ（図示せず）を含むことができる。基地局５２０は、内部に記憶されるか、または外部接続を介してアクセス可能なソフトウェア５２１を更に有する。
【００８２】
通信システム５００は、既に参照したＵＥ５３０を更に含む。そのハードウェア５３５は、ＵＥ５３０が現在位置しているカバレッジエリアをサービングする基地局との無線接続５７０をセットアップし、維持するように設定された無線インターフェース５３７を含むことができる。ＵＥ５３０のハードウェア５３５は、命令を実行するように適応された、１つまたは複数のプログラマブルプロセッサ、特定用途向け集積回路、フィールドプログラマブルゲートアレイまたはこれらの組み合わせ（図示せず）を含むことができる処理回路５３８更に含む。ＵＥ５３０は、ＵＥ５３０に記憶されるかまたはＵＥ５３０によってアクセス可能であり、処理回路５３８によって実行可能なソフトウェア５３１を更に含む。ソフトウェア５３１は、クライアントアプリケーション５３２を含む。クライアントアプリケーション５３２は、ホストコンピュータ５１０のサポートにより、ＵＥ５３０を介して人間または非人間ユーザにサービスを提供するように動作可能とすることができる。ホストコンピュータ５１０において、実行中のホストアプリケーション５１２は、ＵＥ５３０およびホストコンピュータ５１０において終端するＯＴＴ接続５５０を介して実行中のクライアントアプリケーション５３２と通信することができる。サービスをユーザに提供する際、クライアントアプリケーション５３２は、ホストアプリケーション５１２からの要求データを受信し、要求データに応答してユーザデータを提供することができる。ＯＴＴ接続５５０は、要求データおよびユーザデータの双方を転送することができる。クライアントアプリケーション５３２は、ユーザとインタラクトして、提供するユーザデータを生成することができる。
【００８３】
図５に示すホストコンピュータ５１０、基地局５２０およびＵＥ５３０は、それぞれ、図４のホストコンピュータ４３０、基地局４１２ａ、４１２ｂ、４１２ｃのうちの１つ、およびＵＥ４９１、４９２のうちの１つと類似しているかまたは同一である場合があることに留意されたい。すなわち、これらのエンティティの内部の機能は、図５に示すとおりとすることができ、これと独立して、周囲のネットワークトポロジは図４に示すものとすることができる。
【００８４】
図５において、ＯＴＴ接続５５０は、任意の中間デバイスおよびこれらのデバイスを介したメッセージの厳密なルーティングへの明確な言及をすることなく、基地局５２０を介したホストコンピュータ５１０とＵＥ５３０との間の通信を示すように抽象的に描かれている。ネットワークインフラストラクチャはルーティングを決定することができ、このルーティングは、ＵＥ５３０から、もしくはホストコンピュータ５１０を運用しているサービスプロバイダから、または双方から隠れるように設定することができる。ＯＴＴ接続５５０がアクティブである間、ネットワークインフラストラクチャは、（例えば、負荷平衡の検討またはネットワークの再設定に基づいて）ルーティングを動的に変更する判定を更に行うことができる。
【００８５】
ＵＥ５３０と基地局５２０との間の無線接続５７０は、本開示全体を通じて説明される実施形態の教示に従う。様々な実施形態のうちの１つまたは複数が、ＯＴＴ接続５５０を用いてＵＥ５３０に提供されるＯＴＴサービスの性能を改善する。ＯＴＴ接続５５０において、無線接続５７０は最後のセグメントを形成する。より厳密には、これらの実施形態の教示は、ｇＮＢ−ＤＵがＵＥアドミッションの結果をｇＮＢ−ＣＵに通知することを可能にすることによって、ネットワーク、特にＮＧ−ＲＡＮの応答時間を改善することができ、それによって、ユーザ待ち時間の低減、およびネットワーク応答性の改善等の利益を提供することができる。
【００８６】
１つまたは複数の実施形態が改善するデータレート、レイテンシおよび他の要素を監視する目的で、測定手順が提供され得る。更に、測定結果の変動に応答して、ホストコンピュータ５１０とＵＥ５３０との間のＯＴＴ接続５５０を再設定するためのオプションのネットワーク機能が存在してもよい。ＯＴＴ接続５５０を再設定するための測定手順および／またはネットワーク機能は、ホストコンピュータ５１０のソフトウェア５１１およびハードウェア５１５において、もしくはＵＥ５３０のソフトウェア５３１およびハードウェア５３５において、または双方において実装することができる。実施形態において、センサ（図示せず）は、ＯＴＴ接続５５０が通過する通信デバイスにおいて、またはこの通信デバイスと関連付けて展開することができ、センサは、上記で例示した監視量の値を供給することによって、またはソフトウェア５１１、５３１が監視量を計算もしくは推定することができる他の物理的量の値を供給することによって、測定手順に参加することができる。ＯＴＴ接続５５０の再設定は、メッセージフォーマット、再送信設定、好ましいルーティング等を含むことができ、再設定は基地局５２０に影響を与える必要がなく、基地局５２０にとって未知または知覚不可能なものであってもよい。そのような手順および機能性は、当該技術分野において、既知であり得、実装することができる。特定の実施形態において、測定は、ホストコンピュータ５１０による、スループット、伝播時間、レイテンシ等の測定を容易にする専有ＵＥシグナリングを含むことができる。測定は、ソフトウェア５１１および５３１が、伝播時間、エラー等を監視しながら、ＯＴＴ接続５５０を用いて、メッセージ、特に空のまたは「ダミー」メッセージが送信されるようにすることで実施することができる。
【００８７】
図６は、１つの実施形態による、通信システムにおいて実施される方法を示すフローチャートである。通信システムは、図４および図５を参照して説明したものとすることができる、ホストコンピュータ、基地局およびＵＥを含む。本開示を単純にするために、このセクションには、図６への図面参照のみが含まれる。ステップ６１０において、ホストコンピュータはユーザデータを提供する。ステップ６１０のサブステップ６１１（オプションとすることができる）において、ホストコンピュータは、ホストアプリケーションを実行することによってユーザデータを提供する。ステップ６２０において、ホストコンピュータは、ユーザデータをＵＥに搬送する送信を開始する。ステップ６３０（オプションとすることができる）において、基地局は、本開示全体を通じて説明される実施形態に教示に従って、ホストコンピュータが開始した送信において搬送されたユーザデータをＵＥに送信する。ステップ６４０（これもオプションとすることができる）において、ＵＥは、ホストコンピュータによって実行されるホストアプリケーションに従ってクライアントアプリケーションを実行する。
【００８８】
図７は、１つの実施形態による、通信システムにおいて実施される方法を示すフローチャートである。通信システムは、図４および図５を参照して説明したものであり得るホストコンピュータ、基地局およびＵＥを含む。本開示を単純にするために、図７への図面参照のみがこのセクションに含まれる。本方法のステップ７１０において、ホストコンピュータはユーザデータを提供する。オプションのサブステップ（図示せず）において、ホストコンピュータは、ホストアプリケーションを実行することによってユーザデータを提供する。ステップ７２０において、ホストコンピュータは、ユーザデータをＵＥに搬送する送信を開始する。送信は、本開示全体を通じて説明される実施形態に教示に従って、基地局を通過することができる。ステップ７３０（オプションとすることができる）において、ＵＥは、送信において搬送されたユーザデータを受信する。
【００８９】
図８は、１つの実施形態による、通信システムにおいて実施される方法を示すフローチャートである。通信システムは、図４および図５を参照して説明したものであり得るホストコンピュータ、基地局およびＵＥを含む。本開示を単純にするために、図８への図面参照のみがこのセクションに含まれる。ステップ８１０（オプションとすることができる）において、ＵＥは、ホストコンピュータによって提供された入力データを受信する。更にまたは代替的に、ステップ８２０において、ＵＥはユーザデータを提供する。ステップ８２０のサブステップ８２１（オプションとすることができる）において、ＵＥは、クライアントアプリケーションを実行することによってユーザデータを提供する。ステップ８１０のサブステップ８１１（オプションとすることができる）において、ＵＥは、ホストコンピュータによって提供された受信した入力データに応答してユーザデータを提供するクライアントアプリケーションを実行する。ユーザデータを提供する際、実行されるクライアントアプリケーションは、ユーザから受信されるユーザ入力を更に検討することができる。ユーザデータが提供された特定の方式と無関係に、ＵＥは、サブステップ８３０（オプションとすることができる）において、ホストコンピュータへのユーザデータの送信を開始する。方法のステップ８４０において、ホストコンピュータは、本開示全体を通じて説明された実施形態の教示に従って、ＵＥから送信されたユーザデータを受信する。
【００９０】
図９は、１つの実施形態による、通信システムにおいて実施される方法を示すフローチャートである。通信システムは、図４および図５を参照して説明したものであり得るホストコンピュータ、基地局およびＵＥを含む。本開示を単純にするために、図９への図面参照のみがこのセクションに含まれる。ステップ９１０（オプションとすることができる）において、本開示全体を通じて説明された実施形態の教示に従って、基地局はＵＥからユーザデータを受信する。ステップ９２０（オプションとすることができる）において、基地局は、受信したユーザデータのホストコンピュータへの送信を開始する。ステップ９３０（オプションとすることができる）において、ホストコンピュータは、基地局によって開始された送信において搬送されるユーザデータを受信する。
【００９１】
図１５〜図２０は、いくつかの実施形態による、通信システムにおいて実施される例示的な方法を示すフローチャートである。図１５において、ＲＲＣ接続セットアップまでの初期ＵＥアクセス手順が提示される。Ｍｓｇ３の受信時に、初期ＵＥアドミッションがｇＮＢ−ＤＵにおいて行われ、Ｍｓｇ３の受信後に、ｇＮＢ−ＤＵとｇＮＢ−ＣＵとの間でのＲＲＣメッセージ転送手順が用いられることが示されている。
【００９２】
いくつかの実施態様において、Ｍｓｇ３が受信される時点においてｇＮＢ−ＤＵにおいて或るレベルのリソース割り当てを行うことができる。このリソース割り当ては、チャネル品質情報（ＣＱＩ）またはサウンディング参照信号（ＳＲＳ）報告のためのリソースの割り当てを含むことができる。ＳＲＢ１にわたるＵＥ通信に必要とされるリソースは予約されるべきである。ＵＥが認められる必要があるリソースは、完全にｇＮＢ−ＤＵ内に存在する場合があり、ｇＮＢ−ＣＵに通知する必要がない場合がある。
【００９３】
このため、ＵＥがＳＲＢ１を介して通信することを許可されるとき、ｇＮＢ−ＤＵにおいてプレＵＥコンテキストが作成され、Ｆ１アプリケーションプロトコル（Ｆ１ＡＰ）識別子（ＩＤ）がｇＮＢ−ＣＵにおいて記憶される。Ｆ１ＡＰ  ＩＤを用いて、Ｆ１制御プレーン（Ｆ１−Ｃ）にわたってＲＲＣメッセージが転送される。生じ得る様々な事例を示す種々の実施形態が以下に検討される。
【００９４】
実施形態１
この実施形態では、ｇＮＢ−ＤＵはリソースをＵＥに割り当てない。ＵＥは、ＳＲＢ１を介してＭｓｇ３をシグナリングすることを許されるが、ｇＮＢ−ＤＵにおける更なるリソースを承認されない。
【００９５】
図１６に示すように、ステップ１６２０において、ｇＮＢ−ＤＵはＭｓｇ３（ＲＲＣ接続要求（ＲＲＣＣｏｎｎｅｃｔｉｏｎＲｅｑｕｅｓｔ））を受信し、ｇＮＢ−ＤＵにおける下位層リソース割り当てのための第１のアドミッション制御を実行する。その後、ステップ１６２５において、ｇＮＢ−ＤＵは、ｇＮＢ−ＤＵアドミッションの結果を含むＦ１ＡＰ：ＩＮＩＴＩＡＬ  ＵＬ  ＲＲＣ  ＭＥＳＳＡＧＥをｇＮＢ−ＣＵに送信する。このｇＮＢ−ＤＵアドミッション情報に基づいて、ステップ１６３０において、ｇＮＢ−ＣＵはＲＲＣ接続拒否をｇＮＢ−ＤＵに送信する。
【００９６】
実施形態２
この実施形態において、ｇＮＢ−ＤＵは、ＵＥを承認する（例えば、下位層シグナリングのためのリソースを割り当てる）ことができるが、ｇＮＢ−ＤＵは、高負荷の下にある。
【００９７】
図１７に示すように、ステップ１７２０において、ｇＮＢ−ＤＵはＭｓｇ３（ＲＲＣ接続要求）を受信し、再び、ｇＮＢ−ＤＵにおける下位層リソース割り当てのための第１のアドミッション制御を実行する。その後、ステップ１７２５において、ｇＮＢ−ＤＵは、ｇＮＢ−ＤＵアドミッションの結果を含むＦ１ＡＰ：ＩＮＩＴＩＡＬ  ＵＬ  ＲＲＣ  ＭＥＳＳＡＧＥをｇＮＢ−ＣＵに送信する。ステップ１７３０において、ｇＮＢ−ＣＵはｇＮＢ−ＤＵアドミッション情報を取得し、ＲＲＣアクセス原因に基づいて、ＵＥを承認するか（例えば、ＵＥが緊急呼のために接続している場合）、またはＵＥを拒否するかを判定することができる。
【００９８】
実施形態３
この実施形態において、ｇＮＢ−ＤＵは、特定のイベントがｇＮＢ−ＣＵにシグナリングされることなくＵＥを承認した。
【００９９】
図１８に示すように、ステップ１８２０において、ｇＮＢ−ＤＵは、Ｍｓｇ３（ＲＲＣ接続要求）を受信し、他の実施形態と同様に、ｇＮＢ−ＤＵにおける下位層リソース割り当てのための第１のアドミッション制御を実行する。その後、ステップ１８２５において、ｇＮＢ−ＤＵは、ｇＮＢ−ＤＵアドミッションの結果を含むＦ１ＡＰ：ＩＮＩＴＩＡＬ  ＵＬ  ＲＲＣ  ＭＥＳＳＡＧＥをｇＮＢ−ＣＵに送信する。この場合、ｇＮＢ−ＤＵは単に、ＵＥが承認されたことをｇＮＢ−ＣＵに対し宣言する。この情報に基づいて、ステップ１８３０および１８３５において、ｇＮＢ−ＣＵは、ＲＲＣ接続セットアップをｇＮＢ−ＤＵを介してＵＥに送信する。
【０１００】
実施形態４
図１９に示す別の実施形態では、ｇＮＢ−ＤＵ  ＵＥアドミッション結果に関する新たに追加された情報は、ＵＥ初期アクセスにおいて用いられるのみでなく、ＵＥ接続寿命の他の段階においても用いられる。例として、ｇＮＢ−ＤＵは、ＵＥをサービングする任意の時点において、ＵＥをサービングするのに必要な下位層リソースがもはや利用可能でない状況にあることを自身で認識する。この場合、
−  例として「ｇＮＢ−ＤＵアドミッション結果」と名付けられた、以下で提案される情報要素（ＩＥ）を以下のような新たな原因値でポピュレートすることができ、
○  「リソース利用不可能」、これはＵＥをサービングするためのリソースがこれ以上なく、ＣＵが、例えばＲＲＣリリースを用いてＵＥ接続を除去することになることを示す。
○  「高負荷」、これは下位層リソースが非常に乏しく、ＣＵが、ＵＥを接続された状態に保つか（例えば、ＵＥが緊急呼等の高優先度サービス中であるため）、または（例えば、ＲＲＣリリースを用いて）Ｕ接続を除去するかを評価するべきであることを示す。
−  例として「ｇＮＢ−ＤＵアドミッション結果」と名付けられた、以下で提案されるＩＥを、以下で定義するように再利用することができる。この場合、
○  値「拒否」は、ＵＥをサービングするためのリソースがこれ以上なく、ＣＵが、例えばＲＲＣリリースを用いてＵＥ接続を除去することになることを示すものとして解釈されるべきである。
○  値「高負荷承認」は、下位層リソースが非常に乏しく、ＣＵが、ＵＥを接続された状態に保つか（例えば、ＵＥが緊急呼等の高優先度サービス中であるため）、または（例えば、ＲＲＣリリースを用いて）ユーザプレーン接続を除去するかを評価するべきであることを示すものとして解釈されるべきである。
−  例えばｇＮＢ−ＤＵリソースステータスと名付けられた新たなＩＥを導入する。これは以下のような値を有し得る。
○  「リソース利用不可能」、これはＵＥをサービングするためのリソースがこれ以上なく、ＣＵが、（例えばＲＲＣリリースを用いて）ＵＥ接続を除去することになることを示す。
○  「高負荷」、これは、下位層リソースが非常に乏しく、ＣＵが、ＵＥを接続された状態に保つか（例えば、ＵＥが緊急呼等の高優先度サービス中であるため）、または（例えば、ＲＲＣリリースを用いて）Ｕ接続を除去するかを評価するべきであることを示す。
【０１０１】
この指示は、ｇＮＢ−ＤＵからｇＮＢ−ＣＵへＦ１−Ｃインターフェースを介して、例えばＵＥコンテキスト変更要求手順を用いてシグナリングすることができる。
【０１０２】
図２０に示すこの解決策の別の変形形態において、ｇＮＢ−ＤＵは、ＵＥが承認されていないことをｇＮＢ−ＣＵに暗黙的に通知することができる。例えば、ステップ２０２５において、ｇＮＢ−ＤＵは、ＳＲＢ１のための設定を含まない初期ＵＬ  ＲＲＣメッセージを送信することができる。代替的に、ｇＮＢ−ＤＵは、ＵＥのためのセル無線ネットワーク一時アイデンティティ（Ｃ−ＲＴＮＩ）を含まない初期ＵＬ  ＲＲＣメッセージを送信することができる。ＣＵは、次に、２０３０における応答によって示すように、ｇＮＢ−ＤＵがＵＥを承認していないことを暗黙的に理解することができる。
【０１０３】
初期ＵＬ  ＲＲＣメッセージにおける提案される拡張
上記で分析された機構を容易にするために、ＩＥは、初期ＵＬ  ＲＲＣメッセージ、ｇＮＢ−ＤＵアドミッション結果ＩＥに追加される。以下の事例が見られる。
・  ｇＮＢ−ＤＵアドミッション結果ＩＥがＩＮＩＴＩＡＬ  ＵＬ  ＲＲＣ  ＭＥＳＳＡＧＥ  ＴＲＡＮＳＦＥＲに含まれ、かつＩＥが「承認」にセットされている場合、ｇＮＢ−ＣＵは、ｇＮＢ−ＤＵがそのようなＵＥをサービングすることに伴う問題を何ら検出していないと仮定することができる。
・  ｇＮＢ−ＤＵアドミッション結果ＩＥがＩＮＩＴＩＡＬ  ＵＬ  ＲＲＣ  ＭＥＳＳＡＧＥ  ＴＲＡＮＳＦＥＲに含まれ、かつＩＥが「拒否」にセットされている場合、ｇＮＢ−ＣＵは、ｇＮＢ−ＤＵがそのようなＵＥをサービングすることができないという仮定の下でＵＥを拒否することができる。
・  ｇＮＢ−ＤＵアドミッション結果ＩＥがＩＮＩＴＩＡＬ  ＵＬ  ＲＲＣ  ＭＥＳＳＡＧＥ  ＴＲＡＮＳＦＥＲに含まれ、かつＩＥが「高負荷承認」にセットされている場合、ｇＮＢ−ＣＵは、ＵＥが十分な優先度を有する場合、ＵＥを許可することができる。
【０１０４】
このとき、初期ＵＬ  ＲＲＣメッセージ転送は以下となる。
0006921996.tif 000002
ここで、以下となる。
0006921996.tif 000003
【０１０５】
図２１は、いくつかの実施形態による、例示的な方法を示すフローチャートである。本方法は、ステップ２１０２において開始し、ｇＮＢ−ＤＵがＵＥからＲＲＣ接続要求メッセージを受信する。次に、ステップ２１０４において、ｇＮＢ−ＤＵは、ｇＮＢ−ＤＵにおけるＵＥアドミッションの結果を示すＲＲＣメッセージをｇＮＢ−ＣＵに通信する。ステップ２１０６において、ｇＮＢ−ＤＵは、ｇＮＢ−ＤＵにおいて、ｇＮＢ−ＣＵから、ＵＥアドミッション結果に基づくＲＲＣメッセージ転送を受信する。
【０１０６】
図２２は、無線ネットワーク（例えば、図１に示す無線ネットワーク）における装置２２００の概略ブロック図を示す。装置は、無線デバイスまたはネットワークノード（例えば、図１に示す無線デバイス１１０またはネットワークノード１６０）において実装することができる。装置２２００は、図２１を参照して説明した例示的な方法、および場合によっては本明細書に開示された任意の他のプロセスまたは方法を実行するように動作可能である。図２１の方法は、必ずしも装置２２００のみによって実行される必要がないことも理解されたい。本方法の少なくともいくつかの動作は、１つまたは複数の他のエンティティによって実行され得る。
【０１０７】
仮想装置２２００は、１つまたは複数のプロセッサまたはマイクロコントローラ、およびデジタル信号プロセッサ（ＤＳＰ）、デディケーテッドデジタルロジック等を含むことができる他のデジタルハードウェアを含むことができる処理回路部を備えることができる。処理回路部は、メモリに記憶されたプログラムコードを実行するように設定することができ、メモリは、リードオンリーメモリ（ＲＯＭ）、ランダムアクセスメモリ、キャッシュメモリ、フラッシュメモリデバイス、光ストレージデバイス等のような１つまたはいくつかのタイプのメモリを含むことができる。いくつかの実施形態では、メモリに記憶されるプログラムコードは、１つまたは複数の電気通信および／またはデータ通信プロトコル、ならびに本明細書に記載の技法のうちの１つまたは複数を実行するためのプログラム命令を含む。いくつかの実施態様では、処理回路部を用いて、受信ユニット２２０２、通信ユニット２２０４、および装置２２００の任意の他の適切なユニットに、本開示の１つまたは複数の実施形態による対応する機能を実行させることができる。
【０１０８】
図２２に示すように、装置２２００は、受信ユニット２２０２と通信ユニット２２０４とを含む。受信ユニット２２０２は、ＵＥからのメッセージ（例えば、ＲＲＣ接続要求）および／またはｇＮＢ−ＣＵからのメッセージ（例えば、ＲＲＣメッセージ転送）を受信するように設定される。通信ユニット２２０４は、メッセージ（例えば、ＲＲＣメッセージ）をｇＮＢ−ＣＵに通信するように設定される。
【０１０９】
ユニットという用語は、エレクトロニクス、電気デバイスおよび／または電子デバイスの分野における従来の意味を有することができ、例えば、本明細書に記載されるような、電気および／または電子回路部、デバイス、モジュール、プロセッサ、メモリ、ソリッドステートロジックおよび／またはディスクリートデバイス、それぞれのタスク、プロシージャ、計算、出力および／または表示機能等を実行するためのコンピュータプログラムまたは命令、等を含むことができる。
【０１１０】
本開示の範囲から逸脱することなく、本明細書に記載のシステムおよび装置に対し、変更、追加または省略を行うことができる。システムおよび装置のコンポーネントは統合されていても分離されていてもよい。更に、システムおよび装置の動作は、より多くの、より少ない、または他のコンポーネントによって実行されてもよい。加えて、システムおよび装置の動作は、ソフトウェア、ハードウェアおよび／または他のロジックを含む、任意の適切なロジックを用いて実行されてもよい。本明細書において用いられるとき、「各」とは、集合の各要素または集合のうちの部分集合の各要素を指す。
【０１１１】
本開示の範囲から逸脱することなく、本明細書に記載の方法に対し、変更、追加または省略を行うことができる。方法は、より多くの、より少ない、または他のステップを含んでもよい。加えて、ステップは任意の適切な順序で実行されてもよい。
【０１１２】
本開示は、いくつかの実施形態の観点から説明されたが、実施形態の変更および置き換えは当業者に明らかであろう。したがって、実施形態の上記の説明は本開示を制約するものではない。以下の特許請求の範囲において規定される本開示の趣旨および範囲から逸脱することなく、他の変更、置き換えおよび変形が可能である。
【０１１３】
以下の略記のうちの少なくともいくつかが本開示において用いられる場合がある。略記間に不一致がある場合、上記で用いられたものが優先されるべきである。以下に複数回列挙されている場合、最初のリスト化が任意の後続のリスト化に優先されるべきである。
【符号の説明】
【０１１４】
１ｘＲＴＴ  ＣＤＭＡ２０００  １ｘ無線送信技術
３ＧＰＰ  第３世代パートナーシッププロジェクト
５Ｇ  第５世代
５ＧＣ  ５Ｇコアネットワーク
ＡＢＳ  オールモストブランクサブフレーム
ＡＭＦ  アクセスおよびモビリティ管理機能
ＡＲＱ  自動再送要求
ＡＷＧＮ  加算性白色ガウス雑音
ＢＣＣＨ  ブロードキャスト制御チャネル
ＢＣＨ  ブロードキャストチャネル
ＣＡ  キャリアアグリゲーション
ＣＣ  キャリアコンポーネント
ＣＣＣＨＳＤＵ  共通制御チャネルＳＤＵ
ＣＤＭＡ  符号分割多元接続
ＣＧＩ  セルグローバル識別子
ＣＩＲ  チャネルインパルス応答
ＣＰ  制御プレーン
ＣＰＩＣＨ  共通パイロットチャネル
ＣＰＩＣＨ  Ｅｃ／Ｎｏ  帯域内の電力密度で除算した、チップあたりのＣＰＩＣＨ受信エネルギー
ＣＱＩ  チャネル品質情報
Ｃ−ＲＮＴＩ  セルＲＮＴＩ
Ｃ−ＲＴＮＩ  セル無線ネットワーク一時アイデンティティ
ＣＳＩ  チャネル状態情報
ＣＵ  中央ユニット
ＣＵ−ＣＰ  ＣＵ制御プレーン
ＣＵ−ＵＰ  ＣＵユーザプレーン
ＤＣＣＨ  デディケーテッド制御チャネル
ＤＬ  ダウンリンク
ＤＭ  復調
ＤＭＲＳ  復調参照信号
ＤＲＸ  不連続受信
ＤＴＸ  不連続送信
ＤＴＣＨ  デディケーテッドトラフィックチャネル
ＤＵ  分散ユニット
ＤＵＴ  被試験デバイス
Ｅ−ＣＩＤ  拡張セルＩＤ（測位方法）
Ｅ−ＳＭＬＣ  エボルブド−サービングモバイルロケーションセンタ
ＥＣＧＩ  エボルブドＣＧＩ
ｅＮＢ  Ｅ−ＵＴＲＡＮ  ＮｏｄｅＢ
ｅＰＤＣＣＨ  拡張物理ダウンリンク制御チャネル
Ｅ−ＳＭＬＣ  エボルブドサービングモバイルロケーションセンタ
Ｅ−ＵＴＲＡ  エボルブドＵＴＲＡ
Ｅ−ＵＴＲＡＮ  エボルブドＵＴＲＡＮ
Ｆ１−Ｃ  Ｆ１制御プレーン
ＦＤＤ  周波数分割複信（ＦＤＤ）
ＦＦＳ  今後の研究対象（Ｆｏｒ  Ｆｕｒｔｈｅｒ  Ｓｔｕｄｙ）
ＧＥＲＡＮ  ＧＳＭ  ＥＤＧＥ無線アクセスネットワーク
ｇＮＢ  ＮＲにおける基地局
ｇＮＢ−ＣＵ  ｇＮＢ中央ユニット
ｇＮＢ−ＤＵ  ｇＮＢ分散ユニット
ＧＮＳＳ  グローバルナビゲーション衛星システム
ＧＳＭ  モバイル通信のためのグローバルシステム
ＨＡＲＱ  ハイブリッド自動再送要求
ＨＯ  ハンドオーバー
ＨＳＰＡ  高速パケットアクセス
ＨＲＰＤ  高速パケットデータ
ＬＯＳ  視線
ＬＰＰ  ＬＴＥ測位プロトコル
ＬＴＥ  ロングタームエボリューション
ＭＡＣ  媒体アクセス制御
ＭＢＭＳ  マルチメディアブロードキャストマルチキャストサービス
ＭＢＳＦＮ  マルチメディアブロードキャストマルチキャストサービス単一周波数ネットワーク
ＭＢＳＦＮ  ＡＢＳ  ＭＢＳＦＮオールモストブランクサブフレーム
ＭＣＧ  マスタセルグループ
ＭＤＴ  ドライブテストの最小化
ＭＩＢ  マスタ情報ブロック
ＭＭＥ  モビリティ管理エンティティ
ＭＳＣ  移動交換局
ＮＤＳ／ＩＰ  ＩＰネットワークのためのネットワークドメインセキュリティ
ＮＧ−Ｃ  ＮＧ制御プレーン
ＮＰＤＣＣＨ  狭帯域物理ダウンリンク制御チャネル
ＮＲ  新無線
ＯＣＮＧ  ＯＦＤＭＡチャネルノイズ発生器
ＯＦＤＭ  直交周波数分割多重
ＯＦＤＭＡ  直交周波数分割多元接続
ＯＳＳ  オペレーションサポートシステム
ＯＴＤＯＡ  観測された到達時間差
Ｏ＆Ｍ  運用および整備
ＰＢＣＨ  物理ブロードキャストチャネル
Ｐ−ＣＣＰＣＨ  プライマリ共通制御物理チャネル
ＰＣｅｌｌ  プライマリセル
ＰＣＦＩＣＨ  物理制御フォーマットインジケータチャネル
ＰＤＣＣＨ  物理ダウンリンク制御チャネル
ＰＤＣＰ  パケットデータコンバージェンスプロトコル
ＰＤＰ  プロファイル遅延プロファイル
ＰＤＳＣＨ  物理ダウンリンク共有チャネル
ＰＧＷ  パケットゲートウェイ
ＰＨＩＣＨ  物理ハイブリッド−ＡＲＱインジケータチャネル
ＰＬＭＮ  公衆陸上モバイルネットワーク
ＰＭＩ  プリコーダマトリクスインジケータ
ＰＲＡＣＨ  物理ランダムアクセスチャネル
ＰＲＳ  測位参照信号
ＰＳＳ  プライマリ同期信号
ＰＵＣＣＨ  物理アップリンク制御チャネル
ＰＵＳＣＨ  物理アップリンク共有チャネル
ＲＡＣＨ  ランダムアクセスチャネル
ＱＡＭ  直角位相振幅変調
ＲＡＮ  無線アクセスネットワーク
ＲＡＴ  無線アクセス技術
ＲＬＣ  無線リンク制御プロトコル
ＲＬＭ  無線リンク管理
ＲＮＣ  無線ネットワークコントローラ
ＲＮＬ  無線ネットワーク層
ＲＮＴＩ  無線ネットワーク一時識別子
ＲＲＣ  無線リソース制御
ＲＲＭ  無線リソース管理
ＲＳ  参照信号
ＲＳＣＰ  受信信号コード電力
ＲＳＲＰ  参照シンボル受信電力、または、参照信号受信電力
ＲＳＲＱ  参照信号受信品質、または、参照シンボル受信品質
ＲＳＳＩ  受信信号強度インジケータ
ＲＳＴＤ  参照信号時間差
ＳＣＧ  セカンダリセルグループ
ＳＣＨ  同期チャネル
ＳＣｅｌｌ  セカンダリセル
ＳＤＡＰ  サービスデータ適合プロトコル
ＳＤＵ  サービスデータユニット
ＳＦＮ  システムフレーム番号
ＳＧＷ  サービングゲートウェイ
ＳＩ  システム情報
ＳＩＢ  システム情報ブロック
ＳＮＲ  信号対雑音比
ＳＯＮ  自己最適化ネットワーク
ＳＳ  同期信号
ＳＲＢ１  シグナリング無線ベアラ１
ＳＲＳ  サウンディング参照信号
ＳＳＳ  セカンダリ同期信号
ＴＤＤ  時分割複信
ＴＤＯＡ  到達時間差
ＴＮＬ  トランスポートネットワーク層
ＴＯＡ  到達時間
ＴＳＳ  ３次同期信号
ＴＴＩ  送信時間間隔
Ｕ  ユーザ／ユーザプレーン
ＵＥ  ユーザ機器
ＵＬ  アップリンク
ＵＭＴＳ  ユニバーサルモバイル電気通信システム
ＵＰ  ユーザプレーン
ＵＳＩＭ  ユニバーサル加入者アイデンティティモジュール
ＵＴＤＯＡ  アップリンク到達時間差
ＵＴＲＡ  ユニバーサル陸上無線アクセス
ＵＴＲＡＮ  ユニバーサル陸上無線アクセスネットワーク
Ｕｕ  無線インターフェース
ＷＣＤＭＡ  ワイドＣＤＭＡ
ＷＬＡＮ  ワイドローカルエリアネットワーク
Ｘｎ−Ｃ  Ｘｎ制御プレーン
【図１】
0006921996.tif 000004
【図２】
0006921996.tif 000005
【図３】
0006921996.tif 000006
【図４】
0006921996.tif 000007
【図５】
0006921996.tif 000008
【図６】
0006921996.tif 000009
【図７】
0006921996.tif 000010
【図８】
0006921996.tif 000011
【図９】
0006921996.tif 000012
【図１０】
0006921996.tif 000013
【図１１】
0006921996.tif 000014
【図１２】
0006921996.tif 000015
【図１３】
0006921996.tif 000016
【図１４】
0006921996.tif 000017
【図１５】
0006921996.tif 000018
【図１６】
0006921996.tif 000019
【図１７】
0006921996.tif 000020
【図１８】
0006921996.tif 000021
【図１９】
0006921996.tif 000022
【図２０】
0006921996.tif 000023
【図２１】
0006921996.tif 000024
【図２２】
0006921996.tif 000025